(57)【特許請求の範囲】
【請求項１】
制御情報を送信するための時間間隔を決定し、
データが前記時間間隔に送信されているかどうかを判定し、
前記データが前記時間間隔に送信されていない場合、前記制御情報のみを、第１の周波数レンジ内の第１の周波数位置で、前記時間間隔に送信し、ここにおいて、前記第１の周波数レンジはシステム帯域幅のエッジにあり、
前記データが前記時間間隔に送信されている場合、前記制御情報及び前記データの双方を、第２の周波数レンジ内の第２の周波数位置で、前記時間間隔に送信する
ように構成された、少なくとも一つのプロセッサと、ここにおいて、前記第１の周波数レンジと前記第２の周波数レンジは重複しない、
前記少なくとも一つのプロセッサに結合されるメモリと
を備えた、無線通信のための装置。
【請求項２】
前記少なくとも一つのプロセッサは、ダウンリンク送信に関する副搬送波の割り当てを受信し、前記ダウンリンク送信に関する割り当てに基づいてアップリンク送信に関する前記第１の周波数位置を決定するように構成される、請求項１記載の装置。
【請求項３】
前記第１の周波数位置は、前記制御情報を送信するために割り当てられた第１の組の副搬送波に対応し、前記第２の周波数位置は、前記データを送信するために割り当てられた第２の組の副搬送波に対応する、請求項１記載の装置。
【請求項４】
前記少なくとも一つのプロセッサは、前記制御情報のみ、又は前記データのみ、又は前記制御情報及び前記データの双方を、前記制御情報又は前記データ又はその双方が送信される各シンボル期間に、隣接する副搬送波で、送信するように構成される、請求項１記載の装置。
【請求項５】
前記データが前記時間間隔に送信されていない場合、前記少なくとも一つのプロセッサは、前記制御情報のみに関するシンボルを生成し、前記制御情報のみに関するシンボルを、前記第１の周波数位置に対応する第１の組の副搬送波にマッピングするように構成される、請求項１記載の装置。
【請求項６】
前記データが前記時間間隔に送信されている場合、前記少なくとも一つのプロセッサは、前記制御情報及び前記データの双方に関するシンボルを生成し、前記制御情報及び前記データの双方に関する前記シンボルを、前記第２の周波数位置に対応する第２の組の副搬送波にマッピングするように構成される、請求項５記載の装置。
【請求項７】
前記少なくとも一つのプロセッサは、前記データが前記時間間隔に送信されていない場合、前記第１の周波数位置にマッピングされた、前記制御情報のみを有するシングルキャリア周波数分割多重化（ＳＣ−ＦＤＭ）シンボルを生成し、前記データが前記時間間隔に送信されている場合、前記第２の周波数位置にマッピングされた、前記制御情報及び前記データの双方を有するＳＣ−ＦＤＭシンボルを生成するように構成される、請求項１記載の装置。
【請求項８】
前記少なくとも一つのプロセッサは、周波数ホッピングを用いて異なる時間間隔に異なる周波数位置で、前記制御情報のみを送信するように構成される、請求項１記載の装置。
【請求項９】
前記制御情報は、肯定応答（ＡＣＫ）情報、またはチャネル品質表示（ＣＱＩ）情報、または両方を含む、請求項１記載の装置。
【請求項１０】
制御情報を送信するための時間間隔を決定することと、
データが前記時間間隔に送信されているかどうかを判定することと、
前記データが前記時間間隔に送信されていない場合、前記制御情報のみを、第１の周波数レンジ内の第１の周波数位置で、前記時間間隔に送信することと、ここにおいて、前記第１の周波数レンジはシステム帯域幅のエッジにあり、
前記データが前記時間間隔に送信されている場合、前記制御情報及び前記データの双方を、第２の周波数レンジ内の第２の周波数位置で、前記時間間隔に送信することと、ここにおいて、前記第１の周波数レンジと前記第２の周波数レンジは重複しない、
ことを含む、無線通信のための方法。
【請求項１１】
ダウンリンク送信に関する副搬送波の割り当てを受信することと、
前記ダウンリンク送信に関する割り当てに基づいてアップリンク送信に関する前記第１の周波数位置を決定することと
をさらに含む、請求項１０記載の方法。
【請求項１２】
前記制御情報のみを前記第１の周波数位置で送信することは、
前記制御情報のみに関するシンボルを生成することと、
前記制御情報のみに関するシンボルを前記第１の周波数位置に対応する第１の組の副搬送波にマッピングすることと
を含む、請求項１０記載の方法。
【請求項１３】
前記制御情報及び前記データの双方を前記第２の周波数位置で送信することは、
前記制御情報及び前記データの双方に関するシンボルを生成することと、
前記制御情報及び前記データの双方に関する前記シンボルを前記第２の周波数位置に対応する第２の組の副搬送波にマッピングすることと
を含む、請求項１２記載の方法。
【請求項１４】
制御情報を送信するための時間間隔を決定する手段と、
データが前記時間間隔に送信されているかどうかを判定する手段と、
前記データが前記時間間隔に送信されていない場合、前記制御情報のみを、第１の周波数レンジ内の第１の周波数位置で、前記時間間隔に送信する手段と、ここにおいて、前記第１の周波数レンジはシステム帯域幅のエッジにあり、
前記データが前記時間間隔に送信されている場合、前記制御情報及び前記データの双方を、第２の周波数レンジ内の第２の周波数位置で、前記時間間隔に送信する手段と
を備え、前記第１の周波数レンジと前記第２の周波数レンジは重複しない、無線通信のための装置。
【請求項１５】
ダウンリンク送信に関する副搬送波の割り当てを受信する手段と、
前記ダウンリンク送信に関する割り当てに基づいてアップリンク送信に関する前記第１の周波数位置を決定する手段と
をさらに備える、請求項１４記載の装置。
【請求項１６】
前記制御情報のみを前記第１の周波数位置で送信する手段は、
前記制御情報のみに関するシンボルを生成する手段と、
前記制御情報のみに関するシンボルを前記第１の周波数位置に対応する第１の組の副搬送波にマッピングする手段と
を備える、請求項１４記載の装置。
【請求項１７】
前記制御情報及び前記データの双方を前記第２の周波数位置で送信する手段は、
前記制御情報及び前記データの双方に関するシンボルを生成する手段と、
前記制御情報及び前記データの双方に関する前記シンボルを前記第２の周波数位置に対応する第２の組の副搬送波にマッピングする手段と
を備える、請求項１６記載の装置。
【請求項１８】
格納された命令を備えるプロセッサ読み取り可能な媒体であって、
制御情報を送信するための時間間隔を決定する命令と、
データが前記時間間隔に送信されているかどうかを判定する命令と、
前記データが前記時間間隔に送信されていない場合、前記制御情報のみを、第１の周波数レンジ内の第１の周波数位置で、前記時間間隔に送信する命令と、ここにおいて、前記第１の周波数レンジはシステム帯域幅のエッジにあり、
前記データが前記時間間隔に送信されている場合、前記制御情報及び前記データの双方を、第２の周波数レンジ内の第２の周波数位置で、前記時間間隔に送信する命令と
を備え、前記第１の周波数レンジと前記第２の周波数レンジは重複しない、プロセッサ読み取り可能な媒体。
【請求項１９】
ダウンリンク送信に関する副搬送波の割り当てを受信する命令と、
前記ダウンリンク送信に関する割り当てに基づいてアップリンク送信に関する前記第１の周波数位置を決定する命令と
をさらに備える、請求項１８記載のプロセッサ読み取り可能な媒体。
【請求項２０】
前記制御情報のみを送信する命令は、
前記制御情報のみに関するシンボルを生成する命令と、
前記制御情報のみに関するシンボルを前記第１の周波数位置に対応する第１の組の副搬送波にマッピングする命令と
を備える、請求項１８記載のプロセッサ読み取り可能な媒体。
【請求項２１】
前記制御情報及び前記データの双方を送信する命令は、
前記制御情報及び前記データの双方に関するシンボルを生成する命令と、
前記制御情報及び前記データの双方に関する前記シンボルを前記第２の周波数位置に対応する第２の組の副搬送波にマッピングする命令と
を備える、請求項２０記載のプロセッサ読み取り可能な媒体。
【請求項２２】
ユーザ機器（ＵＥ）から制御情報を受信するための時間間隔を決定し、
データが前記時間間隔に前記ＵＥによって送信されているかどうかを判定し、
前記データが前記時間間隔に前記ＵＥによって送信されていない場合、前記制御情報のみを、前記ＵＥから、前記時間間隔に、第１の周波数レンジ内の第１の周波数位置で受信し、ここにおいて、前記第１の周波数レンジはシステム帯域幅のエッジにあり、
前記データが前記時間間隔に前記ＵＥによって送信されている場合、前記制御情報及び前記データの双方を、前記ＵＥから、前記時間間隔に、第２の周波数レンジ内の第２の周波数位置で受信する
ように構成される、少なくとも一つのプロセッサと、ここにおいて、前記第１の周波数レンジと前記第２の周波数レンジは重複しない、
前記少なくとも一つのプロセッサに結合されるメモリと
を備える、無線通信のための装置。
【請求項２３】
前記少なくとも一つのプロセッサは、ダウンリンク送信に関する副搬送波の割り当てを前記ＵＥに送信し、前記ダウンリンク送信に関する割り当てに基づいてアップリンク送信に関する前記第１の周波数位置を決定するように構成される、請求項２２記載の装置。
【請求項２４】
前記データが前記時間間隔に前記ＵＥによって送信されていない場合、前記少なくとも一つのプロセッサは、前記第１の周波数位置に対応する第１の組の副搬送波から、受信されたシンボルを取得し、前記受信されたシンボルに基づいて、前記制御情報に関する復調されたシンボルを取得するように構成される、請求項２２記載の装置。
【請求項２５】
前記データが前記時間間隔に前記ＵＥによって送信されている場合、前記少なくとも一つのプロセッサは、
前記第２の周波数位置に対応する第２の組の副搬送波から、受信されたシンボルを取得し、
前記受信されたシンボルに基づいて、復調されたシンボルを取得し、
前記復調されたシンボルをデマルチプレクスして、前記制御情報に関する復調されたシンボル及び前記データに関する復調されたシンボルを取得する
ように構成される、請求項２４記載の装置。
【請求項２６】
前記少なくとも一つのプロセッサは、
前記データが前記時間間隔に前記ＵＥによって送信されていない場合、受信されたシングルキャリア周波数分割多重化(ＳＣ−ＦＤＭ)シンボルを処理して、前記制御情報のみに関する受信されたシンボルを、前記第１の周波数位置から取得し、
前記データが前記時間間隔に前記ＵＥによって送信されている場合、前記受信されたＳＣ−ＦＤＭシンボルを処理して、前記制御情報及び前記データの双方に関する受信されたシンボルを、前記第２の周波数位置から取得する
ように構成される、請求項２２記載の装置。
【請求項２７】
ユーザ機器（ＵＥ）から制御情報を受信するための時間間隔を決定することと、
データが前記時間間隔に前記ＵＥによって送信されているかどうかを判定することと、
前記データが前記時間間隔に前記ＵＥによって送信されていない場合、前記制御情報のみを、前記ＵＥから、前記時間間隔に、第１の周波数レンジ内の第１の周波数位置で受信することと、ここにおいて、前記第１の周波数レンジはシステム帯域幅のエッジにあり、
前記データが前記時間間隔に前記ＵＥによって送信されている場合、前記制御情報及び前記データの双方を、前記ＵＥから、前記時間間隔に、第２の周波数レンジ内の第２の周波数位置で受信することと
を含み、前記第１の周波数レンジと前記第２の周波数レンジは重複しない、無線通信のための方法。
【請求項２８】
ダウンリンク送信に関する副搬送波の割り当てを前記ＵＥに送信することと、
前記ダウンリンク送信に関する割り当てに基づいてアップリンク送信に関する前記第１の周波数位置を決定することと
をさらに含む、請求項２７記載の方法。
【請求項２９】
前記制御情報のみを前記ＵＥから前記第１の周波数位置で受信することは、
受信されたシンボルを、前記第１の周波数位置に対応する第１の組の副搬送波から取得することと、
前記制御情報に関する復調されたシンボルを、前記受信されたシンボルに基づいて取得することと
を含む、請求項２７記載の方法。
【請求項３０】
前記制御情報及び前記データの双方を前記ＵＥから前記第２の周波数位置で受信することは、
受信されたシンボルを、前記第２の周波数位置に対応する第２の組の副搬送波から取得することと、
復調されたシンボルを、前記受信されたシンボルに基づいて取得することと、
前記復調されたシンボルをデマルチプレクスして、前記制御情報に関する復調されたシンボル及び前記データに関する復調されたシンボルを取得することと
を含む、請求項２９記載の方法。
【請求項３１】
前記制御情報は、肯定応答（ＡＣＫ）情報、またはチャネル品質インジケータ（ＣＱＩ）情報、または両方を含む、請求項１０記載の方法。
【請求項３２】
前記第１の周波数レンジは、制御情報を送信するために指定され、前記第２の周波数レンジは、前記システム帯域幅の中間部分をカバーし、データのみ、またはデータと制御情報の双方を送信するのに利用可能である請求項１０記載の方法。
【請求項３３】
前記第１の周波数位置は、前記制御情報を送信するために割り当てられた第１の組の副搬送波に対応し、前記第２の周波数位置は、前記データを送信するために割り当てられた第２の組の副搬送波に対応する、請求項１０記載の方法。
【請求項３４】
前記第１の組の副搬送波は、物理アップリンク制御チャネル（ＰＵＣＣＨ）に関するものであり、前記第２の組の副搬送波は、物理アップリンク共有チャネル（ＰＵＳＣＨ）に関するものである、請求項３３記載の方法。
【請求項３５】
前記制御情報は、肯定応答（ＡＣＫ）情報、またはチャネル品質インジケータ（ＣＱＩ）情報、または両方を備える、請求項２７記載の方法。
【請求項３６】
前記第１の周波数レンジは、制御情報を送信するために指定され、前記第２の周波数レンジは、前記システム帯域幅の中間部分をカバーし、データのみ、またはデータと制御情報の双方を送信するのに利用可能である請求項２７記載の方法。
【請求項３７】
前記第１の周波数位置は、前記制御情報を送信するために割り当てられた第１の組の副搬送波に対応し、前記第２の周波数位置は、前記データを送信するために割り当てられた第２の組の副搬送波に対応する、請求項２７記載の方法。
【請求項３８】
前記第１の組の副搬送波は、物理アップリンク制御チャネル（ＰＵＣＣＨ）に関するものであり、前記第２の組の副搬送波は、物理アップリンク共有チャネル（ＰＵＳＣＨ）に関するものである、請求項３７記載の方法。
【請求項３９】
ユーザ機器（ＵＥ）から制御情報を送信するための時間間隔を決定する手段と、
データが前記時間間隔に前記ＵＥによって送信されているかどうかを判定する手段と、
前記データが前記時間間隔に前記ＵＥによって送信されていない場合、前記制御情報のみを、前記ＵＥから、前記時間間隔に、第１の周波数レンジ内の第１の周波数位置で受信する手段と、ここにおいて、前記第１の周波数レンジはシステム帯域幅のエッジにあり、
前記データが前記時間間隔に前記ＵＥによって送信されている場合、前記制御情報及び前記データの双方を、前記ＵＥから、前記時間間隔に、第２の周波数レンジ内の第２の周波数位置で受信する手段と
を含み、前記第１の周波数レンジと前記第２の周波数レンジは重複しない、無線通信のための装置。
【請求項４０】
ダウンリンク送信に関する副搬送波の割り当てを前記ＵＥに送信する手段と、
前記割り当てに基づいて前記第１の周波数位置を決定する手段と
をさらに含む請求項３９記載の装置。
【請求項４１】
前記制御情報のみを前記ＵＥから前記第１の周波数位置で受信する手段は、
前記第１の周波数位置に対応する第１の組の副搬送波から受信されたシンボルを取得する手段と、
前記受信されたシンボルに基づいて前記制御情報に関する復調されたシンボルを取得する手段と
を含む、請求項３９記載の装置。
【請求項４２】
前記制御情報及び前記データの双方を前記ＵＥから前記第２の周波数位置で受信する手段は、
前記第２の周波数位置に対応する第２の組の副搬送波から受信されたシンボルを取得する手段と、
前記受信されたシンボルに基づいて復調されたシンボルを取得する手段と、
前記復調されたシンボルをデマルチプレクスして前記制御情報に関する復調されたシンボルと前記データに関する復調されたシンボルを取得する手段と
を備える、請求項４１記載の装置。
【請求項４３】
命令が記憶されたプロセッサ読み取り可能な媒体において、
ユーザ機器（ＵＥ）から制御情報を受信するための時間間隔を決定する命令と、
データが前記時間間隔に前記ＵＥによって送信されているかどうかを判定する命令と、
前記データが前記時間間隔に前記ＵＥによって送信されていない場合、前記制御情報のみを、前記ＵＥから、前記時間間隔に、第１の周波数レンジ内の第１の周波数位置で受信する命令と、ここにおいて、前記第１の周波数レンジはシステム帯域幅のエッジにあり、
前記データが前記時間間隔に前記ＵＥによって送信されている場合、前記制御情報及び前記データの双方を、前記ＵＥから、前記時間間隔に、第２の周波数レンジ内の第２の周波数位置で受信する命令と
を備え、前記第１の周波数レンジと前記第２の周波数レンジは重複しない、プロセッサ読み取り可能な媒体。
【請求項４４】
請求項１０乃至１３および２７乃至３８のいずれか１項に記載の方法をコンピュータに実行させるプログラム。
【請求項４５】
請求項１０乃至１３および２７乃至３８のいずれか１項に記載の方法をコンピュータに実行させるプログラムを記録したコンピュータ読み取り可能な記憶デバイス。
【発明の詳細な説明】
【優先権の主張】
【０００１】
本出願は、２００６年７月７日に出願され、"A METHOD AND APPARATUS FOR AN ACK CHANNEL FOR OFDMA SYSTEM"と題され、本出願の譲受人に譲渡され、参照することによって本明細書に組み込まれる、米国仮出願第６０／８１９，２６８号の優先権を主張する。
【技術分野】
【０００２】
本開示は一般に通信に関し、特に、無線通信システムにおいてデータ及び制御情報を送信する技法に関する。
【背景技術】
【０００３】
無線通信システムは広く展開され、音声、ビデオ、パケットデータ、メッセージング、ブロードキャスト等といった種々の通信サービスを提供している。これらの無線システムは、利用可能なシステムリソースを共有することによって複数のユーザをサポートすることができる多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、及びシングルキャリアＦＤＭＡ（ＳＣ−ＦＤＭＡ）システムが含まれる。
【０００４】
無線通信システムでは、ノードＢ（又は基地局）は、データをユーザ機器（ＵＥ）にダウンリンクで送信、及び／又は、データをＵＥからアップリンクで受信し得る。ダウンリンク（又はフォワードリンク）とは、ノードＢからＵＥへの通信リンクをいい、アップリンク（又はリバースリンク）とは、ＵＥからノードＢへの通信リンクをいう。ノードＢはまた、制御情報（例えば、システムリソースの割り当て）をＵＥへ送信し得る。同様に、ＵＥは、ダウンリンクでのデータ送信をサポートするために、及び／又は、他の目的のために、制御情報をノードＢに送信し得る。システム性能を向上させるために、データ及び制御情報は、できる限り効率よく送信することが望ましい。
【発明の概要】
【０００５】
無線通信システムにおいて、データ及び制御情報を送信する技法が本明細書に記載される。制御情報は、肯定応答（ＡＣＫ）情報、チャネル品質インジケータ（ＣＱＩ）情報、及び／又は他の情報を備え得る。ＵＥは、制御情報のみ、データのみ、又は制御情報とデータとの双方を所与の時間間隔で送信し得る。
【０００６】
ある面において、制御情報は、データが送信されていない場合には第１の周波数位置（frequency location）で、データが送信されている場合には第２の周波数位置で送信され得る。第１の周波数位置は、制御情報を送信するためにＵＥに割り当てられた第１の組の副搬送波に対応してもよく、また、ダウンリンク送信のための副搬送波の割り当てに関連付けられてもよい。第２の周波数位置は、送信すべきデータがあるときにデータを送信するためにＵＥに割り当てられた第２の組の副搬送波に対応し得る。第１及び第２の組は各々、隣接する副搬送波を備え得るが、これは制御情報及び／又はデータを伝える、シングルキャリアの周波数分割多重化（ＳＣ−ＦＤＭ）の波形のピーク対標準比（peak-to-average ratio）（ＰＡＲ）を向上させ得る。
【０００７】
別の面において、制御情報は、データが送信されていない場合には第１の処理スキームに従って、データが送信されている場合には第２の処理スキームに従って処理され得る。双方のスキームについて、制御情報は変調シンボルを得るために処理され（例えば、符号化され、シンボルマッピングされ）得る。第１の処理スキームの一つの設計において、ＣＡＺＡＣ（constant amplitude zero auto-correlation）（定振幅ゼロ自己相関）系列は、変調シンボルの各々で変調されて、対応する変調されたＣＡＺＡＣ系列を取得し得るが、これは次いで第１の組の副搬送波にマッピングされ得る。第２の処理スキームの一つの設計において、制御情報の変調シンボルは、データの変調シンボルと、例えばこれらの変調シンボルを多重化することによって、又はデータの変調シンボルの一部をパンクチャする（puncturing）ことによって、結合され得る。結合された変調シンボルは、時間ドメインから周波数ドメインに変換され、次いで第２の組の副搬送波にマッピングされてもよい。双方のスキームについて、ＳＣ−ＦＤＭシンボルは、第１又は第２の組の副搬送波にマッピングされたシンボルに基づいて生成され得る。
【０００８】
データが送信されていない場合、制御情報の変調シンボルは、第１の変調スキーム（例えば、ＱＰＳＫといった一定の変調スキーム）に基づいて生成されてもよい。これらの変調シンボルは、データが送信されている場合、第２の変調スキーム（例えば、データに用いられる変調スキーム）に基づいて生成され得る。制御情報はまた、データが送信されていない場合には第１の符号化スキームに基づいて、データが送信されている場合には第２の符号化スキームに基づいて符号化され得る。
【０００９】
本開示の種々の面及び特徴は、以下に更に詳細に記載される。
【図面の簡単な説明】
【００１０】
【図１】図１は、無線通信システムを示す。
【図２】図２は、ノードＢによるダウンリンク送信及びＵＥによるアップリンク送信を示す。
【図３】図３は、データ及び制御情報を送信する構成を示す。
【図４Ａ】図４Ａは、アップリンクでの制御情報の送信を示す。
【図４Ｂ】図４Ｂは、アップリンクでの制御情報及びデータの送信を示す。
【図５Ａ】図５Ａは、周波数ホッピングを用いる制御情報の送信を示す。
【図５Ｂ】図５Ｂは、周波数ホッピングを用いる制御情報及びデータの送信を示す。
【図６】図６は、ノードＢ及びＵＥのブロック図を示す。
【図７】図７は、制御情報の変調器のブロック図を示す。
【図８】図８は、変調されたＣＡＺＡＣ系列ユニットのブロック図を示す。
【図９】図９は、データの変調器のブロック図を示す。
【図１０】図１０は、制御情報及びデータの変調器のブロック図を示す。
【図１１】図１１は、復調器のブロック図を示す。
【図１２】図１２は、異なる周波数位置で制御情報を送信する処理を示す。
【図１３】図１３は、異なる周波数位置で制御情報を送信する装置を示す。
【図１４】図１４は、異なる周波数位置から制御情報を受信する処理を示す。
【図１５】図１５は、異なる周波数位置から制御情報を受信する装置を示す。
【図１６】図１６は、異なる処理スキームを用いて制御情報を送信する処理を示す。
【図１７】図１７は、データ送信されていない場合に第１の処理スキームに基づいて制御情報を送信する処理を示す。
【図１８】図１８は、データ送信されている場合に第２の処理スキームに基づいて制御情報を送信する処理を示す。
【図１９】図１９は、異なる処理スキームを用いて制御情報を送信する装置を示す。
【図２０】図２０は、データ送信されていない場合に第１の処理スキームに基づいて制御情報を送信する装置を示す。
【図２１】図２１は、データ送信されている場合に第２の処理スキームに基づいて制御情報を送信する装置を示す。
【図２２】図２２は、異なる処理スキームを用いて制御情報を受信する処理を示す。
【図２３】図２３は、異なる処理スキームを用いて制御情報を受信する装置を示す。
【図２４】図２４は、制御情報を送信する処理を示す。
【図２５】図２５は、制御情報を送信する装置を示す。
【詳細な説明】
【００１１】
図１は、複数のノードＢ１１０と複数のＵＥ１２０を備える無線通信システム１００を示す。ノードＢは、一般にＵＥと通信する固定された局であり、発展した（evolved）ノードＢ（ｅノードＢ）、基地局、アクセスポイント等とも称され得る。各ノードＢ１１０は、特定の地理的領域に通信カバレッジを提供し、当該カバレッジ領域内に位置するＵＥについて通信をサポートする。「セル」という用語は、当該用語が用いられる文脈に応じて、ノードＢ及び／又はそのカバレッジ領域を指すことができる。システムコントローラ１３０は、ノードＢと結合して、これらのノードＢに対して調整（coordination）及び制御を提供し得る。システムコントローラ１３０は、例えばアクセスゲートウェイ（ＡＧＷ）、無線ネットワークコントローラ（ＲＮＣ）等、単独のネットワークエンティティであっても、ネットワークエンティティの集まりであってもよい。
【００１２】
ＵＥ１２０は、システム全体に渡って分散されてもよく、各ＵＥは固定されていても、移動可能であってもよい。ＵＥはまた、移動局、モバイル機器、端末、アクセス端末、加入者ユニット、ステーション等とも称され得る。ＵＥは、携帯電話、パーソナルデジタルアシスタント（ＰＤＡ）、無線通信装置、ハンドヘルド装置、無線モデム、ラップトップコンピュータ等であってもよい。
【００１３】
ノードＢは、いかなるときでも、データを一つ又は複数のＵＥにダウンリンクで送信、及び／又は、データを一つ又は複数のＵＥからアップリンクで受信し得る。ノードＢはまた、制御情報をＵＥに送信、及び／又は、制御情報をＵＥから受信し得る。図１では、（例えば、ノードＢ１１０ａとＵＥ１２０ｂとの間の）２つの矢を有する実線がダウンリンク及びアップリンクでのデータ送信、並びにアップリンクでの制御情報の送信を表す。ＵＥ（例えば、ＵＥ１２０ｅ）を指す単独の矢を有する実線は、ダウンリンクでのデータ送信、及びアップリンクでの制御情報の送信を表す。ＵＥ（例えば、ＵＥ１２０ｃ）から伸びる単独の矢を有する実線は、アップリンクでのデータ及び制御情報の送信を表す。ＵＥ（例えば、ＵＥ１２０ａ）から伸びる単独の矢を有する点線は、アップリンクでの制御情報（データは含まない）の送信を表す。ダウンリンクでの制御情報の送信は、簡単のため図１には示されていない。所与のＵＥは、いかなるときでも、データをダウンリンクで受信、データをアップリンクで送信、及び／又は制御情報をアップリンクで送信し得る。
【００１４】
図２は、ノードＢによるダウンリンク送信とＵＥによるアップリンク送信の例を示す。ＵＥは、ノードＢについてのダウンリンクチャネル品質を周期的に評価し、ＣＱＩをノードＢに送信し得る。ノードＢは、ＣＱＩを用いて、ＵＥへのダウンリンクデータ送信に用いるのに適したレート（例えば、コードレートと変調スキーム）を選択してもよい。ノードＢは、送信すべきデータがあり、システムリソースが利用可能なときにはいつでも、データを処理してＵＥに送信し得る。ＵＥは、ノードＢからのダウンリンクデータ送信を処理し、データが正確に復号された場合には肯定応答（ＡＣＫ）を送信し、データが誤って復号された場合には否定応答（ＮＡＫ）を送信し得る。ノードＢは、ＮＡＫが受信された場合にはデータを送信し、ＡＣＫが受信された場合には新たなデータを送信し得る。ＵＥはまた、送信すべきデータがあり、ＵＥにアップリンクリソースが割り当てられている場合にはいつでも、ノードＢにアップリンクでデータを送信し得る。
【００１５】
図２に示されるように、ＵＥは、いかなる時間間隔（time interval）においても、データ及び／又は制御情報を送信しても、どちらも送信しなくてもよい。制御情報はまた、制御、オーバーヘッド、シグナリング等と称され得る。制御情報は、ＡＣＫ／ＮＡＫ、ＣＱＩ、他の情報、又はこれらの任意の組み合わせを備え得る。制御情報のタイプ及び量は、送信されているデータストリームの数、ＭＩＭＯ（multiple-input multiple-output）が送信に用いられているかどうか等、種々の要素に依存し得る。簡単のため、以下の記載の多くは、制御情報がＡＣＫ及びＣＱＩ情報を備えると仮定している。図２に示される例では、ＵＥはデータ及び制御情報を時間間隔ｎ及びｎ＋６で、制御情報のみを時間間隔ｎ＋３及びｎ＋１２で、データのみを時間間隔ｎ＋９で送信し、図２中の残りの時間間隔ではデータ又は制御情報を送信していない。ＵＥは、データ及び／又は制御情報を、以下に記載されるように効率よく送信し得る。
【００１６】
一般に、本明細書に記載される送信技法は、ダウンリンク送信だけでなくアップリンク送信にも用い得る。該技法はまた、ＣＤＭＡシステム、ＴＤＭＡシステム、ＦＤＭＡシステム、ＯＦＤＭＡシステム、及びＳＣ−ＦＤＭＡシステムといった種々の無線通信システムに用いられ得る。「システム」及び「ネットワーク」という用語はしばしば置き換えて（interchangeably）用いられる。ＣＤＭＡシステムは、ＵＴＲＡ（Universal Terrestrial Radio Access）、ｃｄｍａ２０００等といった無線技術を導入し得る。ＵＴＲＡは、ワイドバンドＣＤＭＡ（Ｗ−ＣＤＭＡ）と低チップレート（Low Chip Rate）（ＬＣＲ）を含む。ｃｄｍａ２０００は、ＩＳ−２０００標準、ＩＳ−９５標準及びＩＳ−８５６標準をカバーする。ＴＤＭＡシステムは、ＧＳＭ（登録商標）（Global System for Mobile Communications）といった無線技術を導入し得る。ＯＦＤＭＡシステムは、Ｅ−ＵＴＲＡ（Evolved UTRA）、ＩＥＥＥ８０２．１１、ＩＥＥＥ８０２．１６、ＩＥＥＥ８０２．２０、フラッシュＯＦＤＭ（登録商標）等といった無線技術を導入し得る。これらの種々の無線技術及び標準は公知である。ＵＴＲＡ、Ｅ−ＵＴＲＡ、及びＧＳＭは、ＵＭＴＳ（Universal Mobile Telecommunication System）の一部である。ＬＴＥ（Long Term Evolution）は、Ｅ−ＵＴＲＡを用いるＵＭＴＳの来たるべきリリースである。ＵＴＲＡ、Ｅ−ＵＴＲＡ、ＧＳＭ、ＵＭＴＳ及びＬＴＥは、「第３世代パートナーシッププロジェクト（３ＧＰＰ）」と名付けられた機構からの文献に記載されている。ｃｄｍａ２０００は、「第３世代パートナーシッププロジェクト２（３ＧＰＰ２）」と名付けられた機構からの文献に記載されている。明確にするために、該技法の一部の面がＬＴＥのアップリンク送信について以下に記載され、３ＧＰＰの専門用語が以下の記載の大半で用いられる。
【００１７】
ＬＴＥは、直交周波数分割多重化（ＯＦＤＭ）をダウンリンクで、シングルキャリア周波数分割多重化（ＳＣ−ＦＤＭ）をアップリンクで利用する。ＯＦＤＭ及びＳＣ−ＦＤＭは、システムの帯域幅を複数の（Ｎ個の）直交する副搬送波に分割するが、これらは通例、トーン、ビン（bins）等とも称される。各副搬送波はデータで変調され得る。一般に、変調シンボルは、ＯＦＤＭでは周波数ドメイン、ＳＣ−ＦＤＭでは時間ドメインで送信される。ＬＴＥの場合、隣接する副搬送波の間隔は一定であってもよく、副搬送波の総数（Ｎ）は、システムの帯域幅に依存し得る。一つの設計では、５ＭＨｚのシステム帯域幅の場合はＮ＝５１２、１０ＭＨｚのシステム帯域幅の場合はＮ＝１０２４、２０ＭＨｚの帯域幅の場合はＮ＝２０４８である。一般に、Ｎは任意の整数値であってよい。
【００１８】
図３は、データ及び制御情報を送信するのに用い得る構成３００の設計を示す。送信タイムラインはスロットに分割されてもよい。スロットは、例えば０．５ミリ秒（ms）といった一定の持続時間、又は設定可能な（configurable）持続時間を有してもよいし、送信時間間隔（transmission time interval）（TTI）等と称されてもよい。図３に示される設計において、スロットは８個のシンボル期間、即ち、データ及び制御情報に用いられる６個の長いシンボル期間と、パイロットに用いられる２つの短いシンボル期間とを備える。短いシンボル期間の各々は、長いシンボル期間の半分の期間であってもよい。短いシンボル期間は短いブロック（SB）に対応し、長いシンボル期間は長いブロック（LB）に対応し得る。別の設計において、スロットは、等しい持続時間を有する７個のシンボル期間、即ち、データ及び制御情報に用いられる６個のシンボル期間と、パイロットに用いられる（例えば、当該スロットの中央の）１個のシンボル期間とを備える。一般に、スロットは任意の数のシンボル期間を備え得るが、それらは等しい持続時間を有しても異なる持続時間を有してもよい。各シンボル期間は、データ、制御情報、パイロット、又はこれらの任意の組み合わせに用いられ得る。
【００１９】
図３に示される設計において、総計Ｎ個の副搬送波は、データセクションと制御セクションとに分けてもよい。制御セクションは、図３に示されるように、システム帯域幅のより下方のエッジ（edge）に形成され得る。あるいは、若しくは加えて、制御セクションはシステム帯域幅のより上方のエッジに形成されてもよい。制御セクションは設定可能な大きさを有し得るが、これはＵＥによってアップリンク上で送信されている制御情報の量に基づいて選択されてもよい。データセクションは、制御セクションに含まれていない全ての副搬送波を備え得る。図３の設計は、データセクションが隣接する副搬送波を備える結果となっているが、これにより単独のＵＥに対してデータセクション中の全ての隣接する副搬送波を割り当てることが可能になる。
【００２０】
ＵＥには、Ｍ個の隣接する副搬送波の制御セグメントを割り当て得るが、ここでＭは一定の値であっても設定可能な値であってもよい。制御セグメントはまた、物理アップリンク制御チャネル（PUCCH）とも称され得る。一つの設計において、制御セグメントは１２の整数倍の副搬送波を備える。ＵＥに対してダウンリンクデータ送信用に割り当てられた副搬送波と、ＵＥ用の制御セグメントの副搬送波との間にマッピングがあってもよい。その場合、ＵＥは、自身の制御セグメントにどの副搬送波を用いるべきかをダウンリンク用に割り当てられた副搬送波に基づいて識別し得るだろう。ＵＥはまた、Ｑ個の隣接する副搬送波のデータセグメントを割り当てられ得るが、ここでＱは一定の値であっても設定可能な値であってもよい。データセグメントはまた、物理アップリンク共有チャネル（physical uplink shared channel）（PUSCH）とも称され得る。一つの設計において、データセグメントは１２の整数倍の副搬送波を備える。ＵＥはまた、所与のスロットにおいてデータセグメント又は制御セグメントを割り当てられなくてもよい。
【００２１】
ＵＥにとっては、ＳＣ−ＦＤＭを用いて隣接する副搬送波で送信することが望ましいかもしれないが、これはローカライズド周波数分割多重（localized frequency division multiplexing）（LFDM）と称される。（隣接しない副搬送波に代えて）隣接する副搬送波で送信することは、より低いピーク対平均比（peak-to-average ratio）（PAR）という結果をもたらし得る。ＰＡＲは、波形の平均電力に対するピーク電力の比である。低いＰＡＲは、電力増幅器（PA）をピーク出力により近い平均出力で動作させることを可能にし得るので望ましい。これは、同様に、ＵＥのリンクマージン及び／またはスループットを改善し得る。
【００２２】
ＵＥは、システム帯域幅のエッジの近くに位置する制御セグメントを割り当てられ得る。ＵＥはまた、データセクション内のデータセグメントを割り当てられ得る。制御セグメント用の副搬送波は、データセグメント用の副搬送波に隣接しなくてもよい。ＵＥは、データをデータセグメントで送信し、制御情報を制御セグメントで送信してもよい。この場合、データ及び制御情報は、システム帯域幅の異なる部分の隣接しない副搬送波で送信されてもよく、結果として得られる波形は、より高いＰＡＲを有し得る。
【００２３】
ある面において、送信すべきデータの有無に応じて、ＵＥは制御情報を異なる周波数位置（frequency locations）で送信し得る。アップリンクで送信すべきデータが無い場合、ＵＥは制御情報を、割り当てられた制御セグメントで送信してもよい。アップリンクで送信すべきデータがある場合、ＵＥは制御情報及びデータを、割り当てられたデータセグメントで送信し得る。この制御情報の動的な送信は、データが送信されているかどうかに関わらず、ＵＥが隣接する副搬送波で送信することを可能にする。
【００２４】
図４Ａは、アップリンクで送信すべきデータが無いときの制御情報の送信を示す。この場合、ＵＥは制御情報を、パイロットに用いられない各シンボル期間、即ち非パイロットシンボル期間の割り当てられた制御セグメントで送信し得る。ＵＥはまた、パイロットを、パイロットに用いられる各シンボル期間、即ちパイロットシンボル期間に送信し得る。各非パイロットシンボル期間において、ＵＥからの送信は、割り当てられた制御セグメントの一組の隣接する副搬送波を占めることがある。残りの副搬送波は、他のＵＥによってアップリンク送信に用いられ得る。
【００２５】
図４Ｂは、アップリンクで送信すべきデータが有るときの制御情報の送信を示す。この場合、ＵＥは制御情報及びデータを、各非パイロットシンボル期間の割り当てられたデータセグメントで送信し得る。ＵＥは制御情報を処理し、変調シンボルを生成し得る。ＵＥはまた、データを処理し、変調シンボルを生成し得る。ＵＥは、制御情報用の変調シンボルとデータ用の変調シンボルとを多重化し得る。あるいは、ＵＥは、データ用の変調シンボルの一部を制御情報用の変調シンボルでパンクチャし（puncture）（又は置換し）てもよい。ＵＥはまた、制御情報及びデータを他の方法で送信してもよい。ＵＥはまた、パイロットを各パイロットシンボル期間で送信してもよい。各非パイロットシンボル期間において、ＵＥからの送信は、割り当てられたデータセグメントにおいて一組の隣接する副搬送波を占め得る。残りの副搬送波は、もしあれば、他のＵＥによってアップリンク送信に用いられてもよい。
【００２６】
システムは、周波数ホッピングを用いて、有害なパス効果及び干渉のランダム化に対する周波数ダイバーシティを提供し得る。周波数ホッピングを用いれば、ＵＥには異なるホップ期間に異なる組の副搬送波が割り当てられ得る。ホップ期間とは、所与の副搬送波の組に費やされる時間の量であって、一つのスロット又は何らかの他の期間に対応し得る。異なる副搬送波の組は、ＵＥによって識別され得るホッピングパターンに基づいて選択されてもよい。
【００２７】
図５Ａは、アップリンクで送信すべきデータが無いときの周波数ホッピングを用いた制御情報の送信を示す。この設計において、ＵＥには各スロットの制御セグメント用に異なる組の副搬送波が割り当てられ得る。ＵＥは、制御情報を各非パイロットシンボル期間の制御セグメント用の副搬送波で送信し得る。ＵＥは、パイロットを各パイロットシンボル期間に送信し得る。各非パイロットシンボル期間において、ＵＥからの送信は、ＵＥに割り当てられた一組の隣接する副搬送波を占め得る。残りの副搬送波は他のＵＥによってアップリンク送信用に用いられてもよい。
【００２８】
図５Ｂは、周波数ホッピングを用いた制御情報及びデータの送信を示す。この設計において、ＵＥには、各スロットのデータセグメントの異なる組の副搬送波が割り当てられ得る。ＵＥは、制御情報及びデータを、各非パイロットシンボル期間のデータセグメント用の副搬送波で送信してもよい。ＵＥは、パイロットを各パイロットシンボル期間に送信し得る。各非パイロットシンボル期間において、ＵＥからの送信は、ＵＥに割り当てられた一組の隣接する副搬送波を占め得る。残りの副搬送波は、もしあれば、他のＵＥによってアップリンク送信に用いられてもよい。
【００２９】
図５Ａ及び図５Ｂは、周波数ホッピングをスロット毎に示すが、各ホップ期間は１スロットに対応する。周波数ホッピングはまた、他のホップ期間又は時間間隔に渡って行われてもよい。例えば、周波数ホッピングは、サブフレーム毎（ここで１つのサブフレームは２個のスロットと等しくてもよい）、シンボル期間毎等に行われてもよい。
【００３０】
図３乃至図５Ｂは、制御情報及びデータを送信する例示の構成を示す。他の構成を用いて制御情報及びデータを送信してもよい。一般に、制御情報及びデータは、周波数分割多重化（FDM）、時分割多重化（TDM）、及び／又は、他の多重化スキームを用いて送信され得る。
【００３１】
図６は、ノードＢ１１０とＵＥ１２０の設計のブロック図を示すが、これらは図１のノードＢのうちの１つとＵＥのうちの１つである。ＵＥ１２０において、送信（TX）データ及び制御プロセッサ６１０は、アップリンク（UL）データをデータソース（図示せず）から、及び／又は制御情報をコントローラ／プロセッサ６４０から受け取り得る。プロセッサ６１０は、データ及び制御情報を処理し（例えば、フォーマットし、符号化し、インタリーブし、及びシンボルマッピングし）、変調シンボルを供給し得る。変調器（MOD）６２０は、変調シンボルを以下に記載されるように処理し、出力チップを供給し得る。送信器（TMTR）６２２は、出力チップを処理し（例えば、アナログに変換し、増幅し、濾波し、及び周波数をアップコンバートし）、アップリンク信号を生成し得るが、これはアンテナ６２４を介して送信され得る。
【００３２】
ノードＢ１１０において、アンテナ６５２はアップリンク信号をＵＥ１２０及び他のＵＥから受信し、受信された信号を受信器（RCVR）６５４に供給し得る。受信器６５４は、受信された信号を調整し（condition）（例えば、濾波し、増幅し、周波数をダウンコンバートし、及びデジタル化し）、受信されたサンプルを供給し得る。復調器（DEMOD）６６０は、受信されたサンプルを以下に記載されるように処理し、復調されたシンボルを供給し得る。受信（RX）データ及び制御プロセッサ６７０は、復調されたシンボルを処理して（例えば、シンボルデマッピングし、デインタリーブし、及び復号し）、ＵＥ１２０と他のＵＥのための復号されたデータ及び制御情報を取得し得る。
【００３３】
ダウンリンク上では、ノードＢ１１０において、ＵＥに送信されるべきダウンリンク（DL）データ及び制御情報がＴＸデータ及び制御プロセッサ６９０によって処理され、（例えば、ＯＦＤＭ用の）変調器６９２によって変調され、送信器６９４によって調整され、アンテナ６５２を介して送信され得る。ＵＥ１２０において、ノードＢ１１０と、あるいは他のノードＢからのダウンリンク信号はアンテナ６２４によって受信され、受信器６３０によって調整され、（例えば、OFDM用の）復調器６３２によって復調され、ＲＸデータ及び制御プロセッサ６３４によって処理されて、ノードＢ１１０によってＵＥ１２０へ送信された制御情報とダウンリンクデータを回復する（recover）。一般に、アップリンク送信の処理は、ダウンリンク送信の処理と類似していても、異なっていてもよい。
【００３４】
コントローラ／プロセッサ６４０及び６８０は、それぞれＵＥ１２０及びノードＢ１１０の動作を指示し得る。メモリ６４２及び６８２は、それぞれＵＥ１２０及びノードＢ１１０のデータ及びプログラムコードを格納してもよい。スケジューラ６８４は、ＵＥに対してダウンリンク及び／又はアップリンク送信をスケジュールし、システムリソースの割り当て、例えばダウンリンク及び／又はアップリンクの副搬送波の割り当てを供給してもよい。
【００３５】
図７は、制御情報用の変調器６２０ａの設計のブロック図を示す。変調器６２０ａは、図６のＵＥ１２０の変調器６２０に用いてもよい。ＴＸ制御プロセッサ７１０は、図６のＴＸデータ及び制御プロセッサ６１０の一部であり得るが、サブフレームで送信されるべきＡＣＫ及び／又はＣＱＩ情報を受信してもよく、サブフレームは、２つのスロット又は何らかの他の期間であってよい。ＴＸ制御プロセッサ７１０は、ＡＣＫ情報を処理して、ＡＣＫ用の１つ又は複数の復調シンボルを生成し得る。一つの設計において、ＴＸ制御プロセッサ７１０は、ＡＣＫ／ＮＡＫをＱＰＳＫ変調シンボルにマッピングしてもよく、例えば、ＡＣＫを１つのＱＰＳＫ値（例、１＋ｊ）に、ＮＡＫを別のＱＰＳＫ値（例、−１−ｊ）にマッピングしてもよい。あるいは、若しくは加えて、ＴＸ制御プロセッサ７１０はＣＱＩ情報を処理して、ＣＱＩ用の変調シンボルを生成し得る。一つの設計において、ＴＸ制御プロセッサ７１０は、ブロック符号に基づいてＣＱＩ情報を符号化してコードビットを取得し、次いで該コードビットをＱＰＳＫ変調シンボルにマッピングしてもよい。一般に、ＴＸ制御プロセッサ７１０は、ＡＣＫ及びＣＱＩ情報を別個に、又は一緒に処理し得る。ＡＣＫ及び／又はＣＱＩ情報を生成するための変調シンボルの数は、ＡＣＫ及びＣＱＩに用いられる変調スキーム／順序（order）、ブロック符号レート、ＡＣＫ及びＣＱＩ情報を送信するのに利用可能なシンボル期間の数等に依存し得る。ＴＸ制御プロセッサ７１０は、ＡＣＫ及び／又はＣＱＩ情報の変調シンボルを供給し得る。
【００３６】
変調器６２０ａ内で、ユニット７２２は、ＴＸ制御プロセッサ７１０からＡＣＫ及び／又はＣＱＩ情報の変調シンボル、例えば各非パイロットシンボル期間について１つの変調シンボルを受け取り得る。各非パイロットシンボル期間において、ユニット７２２は、長さＭのＣＡＺＡＣ系列を当該シンボル期間の変調シンボルで変調し、Ｍ個の変調されたシンボルを有する変調されたＣＡＺＡＣ系列を供給し得るが、ここでＭはＵＥ１２０に割り当てられた制御セグメント中の副搬送波の数である。ユニット７２２による処理は以下に記載される。
【００３７】
スペクトル形成ユニット７３０は、Ｍ個の変調されたシンボルをユニット７２２から受け取り、ウィンドウサイズに基づいて周波数ドメイン中のこれらのシンボルに対してスペクトル形成（spectral shaping）を行い、Ｍ個のスペクトル形成されたシンボルを供給し得る。スペクトル形成は、出力波形における時間ドメインのトランジェント（transient）を削減するために、制御セグメントの高い副搬送波及び低い副搬送波中のシンボルを減衰又はロールオフ（roll off）し得る。スペクトル形成は、２乗余弦窓（raised cosine window）又は何らかの他のウィンドウ関数に基づいてもよい。ウィンドウサイズは、送信に用いられるべき副搬送波の数を示し得る。シンボル対副搬送波（symbol-to-subcarrier）マッピングユニット７３２は、Ｍ個のスペクトル形成されたシンボルを、ＵＥ１２０に割り当てられた制御セグメントのＭ個の副搬送波にマッピングしてもよく、信号値がゼロのゼロシンボルをＮ−Ｍ個の残りの副搬送波にマッピングしてもよい。
【００３８】
逆離散フーリエ変換（IDFT）ユニット７３４は、総計Ｎ個の副搬送波についてのＮ個のマッピングされたシンボルをマッピングユニット７３２から受信し、Ｎ点ＩＤＦＴをこれらＮ個のシンボルに行ってシンボルを周波数ドメインから時間ドメインに変換し、Ｎ個の時間ドメインの出力チップを供給し得る。各出力チップは、一つのチップ期間で送信されるべき複素数値である。パラレル・シリアル変換器（Ｐ／Ｓ）７３６は、Ｎ個の出力チップを直列化し（serialize）、ＳＣ−ＦＤＭシンボルの有用な部分を供給し得る。巡回プレフィクス生成器（cyclic prefix generator）７３８は、有用な部分の最後のＣ個の出力チップをコピーし、これらＣ個の出力チップを有用な部分の先頭に付けてＮ＋Ｃ個の出力チップを含むＳＣ−ＦＤＭシンボルを形成し得る。巡回プレフィックスは、周波数選択的なフェージングによって生じるシンボル間干渉（inter-symbol interference）（ISI）に対抗する（combat）のに用いられる。ＳＣ−ＦＤＭシンボルは、１つのＳＣ−ＦＤＭシンボル期間で送信されてもよいが、これはＮ＋Ｃ個のチップ期間に等しくてもよい。
【００３９】
ＣＡＺＡＣ系列は、良好な時間的特性（例えば、一定の時間ドメインの包絡線（envelope））と良好なスペクトル特性（例えば、平坦な周波数スペクトル）を有する系列である。例示のＣＡＺＡＣ系列には、Ｃｈｕ系列、Ｚａｄｏｆｆ−Ｃｈｕ系列、Ｆｒａｎｋ系列、汎用のチャープ的な（generalized chirp-like）（ＧＣＬ）系列、Ｇｏｌｏｍｂ系列、Ｐ１、Ｐ３、Ｐ４及びＰｘ系列等を含むものもあるが、これらは公知である。ある設計では、Ｃｈｕ系列を用いて制御情報が送信される。長さＭのＣｈｕ系列は、
【数１】
0005456852.tif 000002
【００４０】
と表されてもよく、ここでφｍはＣｈｕ系列におけるｍ番目のシンボル又は値の位相であり、ＣｍはＣｈｕ系列におけるｍ番目のシンボルである。
【００４１】
Ｃｈｕ系列の位相φｍは、
【数２】
0005456852.tif 000003
【００４２】
と表されてもよく、ここでＦとＭは互いに素である。
【００４３】
図８は、図７の変調されたＣＡＺＡＣ系列ユニット７２２の設計を示す。ユニット７２２内で、Ｍ個の乗算器８１２ａ乃至８１２ｍは、それぞれＣｈｕ系列のＭ個のシンボルＣ１乃至ＣＭを受け取り得る。各乗算器８１２はまた、１つのシンボル期間で送信されるべき変調シンボルＳ（ｉ）を受け取り、そのＣｈｕシンボルＣｍを変調シンボルＳ（ｉ）で乗算し、変調されたシンボルＳｍ（ｉ）を提供し得るが、ここで、ｍ∈{1, …, M}である。Ｍ個の乗算器８１２ａ乃至８１２ｍは、それぞれ変調シンボルＳ（ｉ）についてＭ個の変調されたシンボルＳ１（ｉ）乃至ＳＭ（ｉ）を供給し得る。
【００４４】
Ｃｈｕ系列（又は、何らかの他のＣＡＺＡＣ系列）を変調シンボルで変調することは、Ｃｈｕ系列の良好な時間的及び空間的な特性を損なわない。変調されたＣｈｕ系列を用いて生成された波形は、変調シンボルをＭ回繰り返すことで生成される波形よりも低いＰＡＲを有し得る。これは、変調されたＣｈｕ系列の波形がより高い出力で送信されることを可能にするが、このことは変調されたＣｈｕ系列で送信される変調シンボルの信頼性を改善し得る。小さな非ゼロ自己相関と振幅における小さな変化を有する擬似ＣＡＺＡＣ系列を、ゼロ自己相関で振幅に変化の無い、真のＣＡＺＡＣ系列の代わりに用いてもよい。
【００４５】
図７に戻ると、制御情報が送信される各サブフレームについて、ＴＸ制御プロセッサ７１０は制御情報のＬ個の変調シンボル、例えばサブフレームの各非パイロットシンボル期間において１つの変調シンボルを供給し得る。Ｌは、サブフレーム中の非パイロットシンボル期間の数と等しくてもよく、また図３に示される設計については１２に等しくてもよい。各変調シンボルは、Ｃｈｕ系列を図８に示されるように変調してもよく、変調されたＣｈｕ系列は、１つのシンボル期間の制御セグメントのＭ個の隣接する副搬送波で送信されてもよい。ＡＣＫ情報のみが送信される場合、ＴＸ制御プロセッサ７１０はＡＣＫ情報についての変調シンボルを生成し、この変調シンボルを反復してＬ個の変調シンボルを取得し、１つの変調シンボルを各非パイロットシンボル期間で提供し得る。ＣＱＩ情報のみが送信される場合、ＴＸ制御プロセッサ７１０はＣＱＩ情報をブロック符号に基づいて符号化してコードビットを取得し、該コードビットをＬ個の変調シンボルにマッピングし、ＣＱＩの１つの変調シンボルを各非パイロットシンボル期間で供給し得る。ＡＣＫ情報及びＣＱＩ情報の双方が送信される場合、ＴＸ制御プロセッサ７１０は、ＡＣＫ情報及びＣＱＩ情報を別のブロック符号に基づいて一緒に符号化してコードビットを取得し、該コードビットをＬ個の変調シンボルにマッピングし、１つの変調シンボルを各非パイロットシンボル期間で供給し得る。ＴＸ制御プロセッサ７１０はまた、ＡＣＫ情報及び／又はＣＱＩ情報を他の方法で処理してもよい。制御情報を供給するための変調シンボルの数は、サブフレーム中の非パイロットシンボルの数に依存し得る。コードビット（また従って、ブロック符号）の数は、変調シンボルの数、変調スキーム、及び制御情報のビットの数に依存し得る。いずれの場合にも、変調シンボルは適当な送信出力レベルで送信され得るが、これはＡＣＫ情報及び／又はＣＱＩ情報が送信されているかどうかに依存し得る。
【００４６】
図９は、データ用の変調器６２０ｂの設計のブロック図を示す。変調器６２０ｂは、図６の変調器６２０に用いてもよい。ＴＸデータプロセッサ７１２は、図６のＴＸデータ及び制御プロセッサ６１０の一部であり得るが、送信すべきデータを受信し、当該データを符号化スキームに基づいて符号化してコードビットを取得し、当該コードビットをインタリーブし（interleave）、インタリーブされたビットを変調スキーム、例えばＱＰＳＫ、１６−ＱＡＭ、６４−ＱＡＭ等に基づいて変調シンボルにマッピングし得る。符号レート及び変調スキームは、アップリンクチャネルの状態に基づいて選択され得るが、これはノードＢ１１０によって予測され（estimated）、ＵＥ１２０に信号で知らされ（signaled）得る。
【００４７】
変調器６２０ｂ内で、シリアル・パラレル変換器（S/P）７２４は変調シンボルをＴＸデータプロセッサ７１２から受け取って、Ｑ個の変調シンボルを各非パイロットシンボル期間で供給し得るが、ここでＱはＵＥ１２０に割り当てられたデータセグメント中の副搬送波の数である。離散フーリエ変換（DFT）ユニット７２８は、Ｑ点ＤＦＴをＱ個の変調シンボルに行って、これらのシンボルを時間ドメインから周波数ドメインに変換し、Ｑ個の周波数ドメインのシンボルを供給し得る。スペクトル形成ユニット７３０は、スペクトル形成をＱ個の周波数ドメインのシンボルに対して行い、Ｑ個のスペクトル形成されたシンボルを供給し得る。シンボル対副搬送波マッピングユニット７３２は、Ｑ個のスペクトル形成されたシンボルをデータセグメント中のＱ個の副搬送波にマッピングし、ゼロシンボルをＮ−Ｑ個の残りの副搬送波にマッピングし得る。ＩＤＦＴユニット７３４は、Ｎ点ＩＤＦＴをユニット７３２からのＮ個のマッピングされたシンボルに対して行い、Ｎ個の時間ドメインの出力チップを供給し得る。Ｐ／Ｓ７３６は、Ｎ個の出力チップを直列化してもよく、巡回プレフィクス生成器７３８は、巡回プレフィクスを付加して、Ｎ＋Ｃ個の出力チップを含むＳＣ−ＦＤＭシンボルを形成してもよい。
【００４８】
図１０は、データ及び制御情報用の変調器６２０ｃの設計のブロック図を示す。変調器６２０ｃはまた、図６の変調器６２０に用いられてもよい。ＴＸ制御プロセッサ７１０は制御情報を処理し、制御情報用の変調シンボルを変調器６２０ｃに供給し得る。ＴＸデータプロセッサ７１２は、データを処理し、データ用の変調シンボルを変調器６２０ｃに供給し得る。
【００４９】
変調器６２０ｃ内で、Ｓ／Ｐ７２６は、変調シンボルをＴＸ制御プロセッサ７１０から、変調シンボルをＴＸデータプロセッサ７１２から受け取り得る。Ｓ／Ｐ７２６は、Ｑ個の変調シンボルを各非パイロットシンボル期間で供給し得るが、ここでＱはＵＥ１２０に割り当てられたデータセグメント中の副搬送波の数である。Ｑ個の変調シンボルは、ＤＦＴユニット７２８、スペクトル形成ユニット７３０、シンボル対副搬送波マッピングユニット７３２、ＩＤＦＴユニット７３４、Ｓ／Ｐ７３６、及び巡回プレフィクス生成器７３８によって図９について上述したように処理されて、Ｎ＋Ｃ個の出力チップを含むＳＣ−ＦＤＭシンボルを生成し得る。
【００５０】
制御情報は、種々の方法でデータセグメントのデータと共に処理され、送信され得る。制御情報をデータと共に処理及び送信する幾つかの設計は、以下に記載される。
【００５１】
一つの設計において、ＴＸ制御プロセッサ７１０は、制御情報が単独で送信されるのか、データと共に送信されるのかに関わらず、同様の方法で（例えば、所定の符号化及び変調スキームに基づいて）制御情報の変調シンボルを生成し得る。制御情報が単独で送信される場合、ＴＸ制御プロセッサ７１０は制御情報の変調シンボルを図７の変調器６２０ａに供給し得る。制御情報がデータと共に送信される場合、ＴＸ制御プロセッサ７１０は更に変調シンボルを処理し得る。一つの設計において、ＴＸ制御プロセッサ７１０は、制御情報（例、ＡＣＫ）の変調シンボルを充分な回数反復して、所望の信頼性を達成してもよい。別の設計において、ＴＸ制御プロセッサ７１０は制御情報の変調シンボルを長さＷの直交符号で拡散して、Ｗ個の拡散変調シンボルを生成し得るが、ここでＷはＭ以下であり得る。ＴＸ制御プロセッサ７１０は、一つのタイプの制御情報に対しては反復を、別のタイプの制御情報に対しては拡散を、及び／又は他のタイプの制御情報に対しては他の処理を行ってもよい。いずれの場合も、ＴＸ制御プロセッサ７１０は、制御情報の反復された及び／又は拡散された変調シンボルの全てを変調器６２０ｃに供給し得る。
【００５２】
別の設計において、ＴＸ制御プロセッサ７１０は、（ｉ）データが送信されないときは所定の変調スキーム（例、ＱＰＳＫ）に基づいて、又は（ｉｉ）データが送信されるときはデータに用いられる変調スキーム（例、１６−ＱＡＭ、６４−ＱＡＭ等）に基づいて、制御情報の変調シンボルを生成し得る。例えば、制御情報がデータと共に送信されるとき、ＣＱＩの変調スキームはＱＰＳＫからデータに用いられる変調スキームに変化してもよく、ＡＣＫの符号化の基礎はＣｈｕ系列から反復符号に変化してもよく、その後に、ＱＰＳＫからデータに用いられる変調スキームへの変化があってもよい。ＴＸ制御プロセッサ７１０は、制御情報に用いられる変調スキームに関わらず、同じ符号化スキームを制御情報に用い得る。あるいは、ＴＸ制御プロセッサ７１０は、符号化スキーム又はコードレートを、制御情報に用いられる変調スキームに基づいて選択してもよい。
【００５３】
一つの設計において、ＴＸデータプロセッサ７１２は、データが単独で送信されるのか、制御情報と共に送信されるのかに関わらず、データの変調シンボルを同様にして生成し得る。制御情報がデータと共に送信されるとき、Ｓ／Ｐ７２６は、データの変調シンボルの一部を、制御情報の変調シンボルでパンクチャし（又は、置換し）てもよい。別の設計において、制御情報がデータと共に送信されるとき、ＴＸデータプロセッサ７１２は、（例えば、符号レートを調整することによって）より少ない個数のデータの変調シンボルを生成してもよい。Ｓ／Ｐ７２６は、制御情報の変調シンボルをデータの変調シンボルと多重化してもよい。制御情報の変調シンボルはまた、他の方法で、例えば階層的な符号化を用いた重ね合わせ（superposition）で、データの変調シンボルと共に送信されてもよい。
【００５４】
図１０に示される設計において、制御情報の変調シンボルは、ユニット７２８によるＤＦＴに先立って、データの変調シンボルと多重化されるか、パンクチャしてもよい。この設計は、データのみ、又はデータと制御情報との双方が送信されるときにＤＦＴ演算に続くＩＤＦＴ演算によって生成され得る、ＳＣ−ＦＤＭ波形が維持されることを確実にする。別の設計において、制御情報の変調シンボルは、ＤＦＴの後、例えばマッピングユニット７３２に先立って、データの変調シンボルと多重化されるか、パンクチャしてもよい。
【００５５】
図７及び図１０に示されるように、制御情報が単独で送信されるのか、データと共に送信されるのかに応じて、制御情報は異なる処理スキームを用いて送信され得る。単独で送信されるとき、制御情報はより低いＰＡＲを達成すべく、ＣＡＺＡＣ系列を用いて送信され得る。より低いＰＡＲは、より高い送信出力の使用を可能にし得るが、これはリンクマージンを改善し得る。データと共に送信されるとき、制御情報はデータと多重化され、データと同様の方法で処理されてもよい。このことは、制御情報がデータに用いられるのと同一の技法を、例えば変調シンボルと共に送信されるパイロットシンボルに基づいたコヒーレントな（coherent）復調を用いて回復される（recovered）ことを可能にし得る。制御情報はまた、他の方法で送信されてもよい。例えば、制御情報は、符号分割多重化（CDM）を用いて、例えば制御情報の各変調シンボルを直交符号で拡散し、拡散された変調シンボルを制御情報に用いられる副搬送波にマッピングすることによって送信されてもよい。
【００５６】
図１１は、図６のノードＢ１１０における復調器６６０の設計のブロック図を示す。復調器６６０内で、巡回プレフィックス除去ユニット１１１０は、各ＳＣ−ＦＤＭシンボル期間のＮ＋Ｃ個の受信されたサンプルを取得し、巡回プレフィクスに対応するＣ個の受信されたサンプルを除去し、受信されたＳＣ−ＦＤＭシンボルの有用な部分のＮ個の受信されたサンプルを供給し得る。Ｓ／Ｐ１１１２は、Ｎ個の受信されたサンプルを並列して供給し得る。ＤＦＴユニット１１１４は、Ｎ点ＤＦＴをＮ個の受信されたサンプルに対して行い、総計Ｎ個の副搬送波についてＮ個の受信されたサンプルを供給し得る。これらのＮ個の受信されたシンボルは、ノードＢ１１０に送信している全てのＵＥについてのデータ及び制御情報を含み得る。ＵＥ１２０からの制御情報及び／又はデータを回復する処理は、以下に記載される。
【００５７】
制御情報及びデータがＵＥ１２０によって送信される場合、シンボル対副搬送波デマッピングユニット１１１６は、ＵＥ１２０に割り当てられたデータセグメントのＱ個の副搬送波からＱ個の受信されたシンボルを供給し、残りの受信されたシンボルを破棄し得る。ユニット１１１８は、Ｑ個の受信されたシンボルをＵＥ１２０によって行われたスペクトル形成に基づいて正規化し（scale）得る。ユニット１１１８は更に、データ検出（例えば、整合フィルタリング（matched filtering）、等化など）をＱ個の正規化されたシンボルに対してチャネル利得推定と共に行い、Ｑ個の検出されたシンボルを供給し得る。ＩＤＦＴユニット１１２０は、Ｑ点ＩＤＦＴをＱ個の検出されたシンボルに対して行い、制御情報及びデータのＱ個の復調されたシンボルを供給し得る。Ｐ／Ｓ１１２２は、データの復調されたシンボルをＲＸデータプロセッサ１１５０に供給し、制御情報の復調されたシンボルをマルチプレクサ（Mux）１１３２に供給し得るが、当該マルチプレクサはこれらのシンボルをＲＸ制御プロセッサ１１５２に供給し得る。プロセッサ１１５０及び１１５２は、図６のＲＸデータ及び制御プロセッサ６７０の一部であってよい。ＲＸデータプロセッサ１１５０は、データの復調されたシンボルを処理し（例えば、シンボルデマッピングし、デインタリーブし、及び復号し）、復号されたデータを供給し得る。ＲＸ制御プロセッサ１１５２は、制御情報の復調されたシンボルを処理し、復号された制御情報、例えばＡＣＫ及び／又はＣＱＩを供給し得る。
【００５８】
ＵＥによってデータ無しで制御情報が送信される場合、シンボル対副搬送波デマッピングユニット１１１６は、ＵＥ１２０に割り当てられた制御セグメントのＭ個の副搬送波のＭ個の受信されたシンボルを提供し、残りの受信されたシンボルを破棄し得る。ＣＡＺＡＣ系列検出器１１３０は、おそらくシンボル期間に送信されたであろう変調シンボルを当該シンボル期間のＭ個の受信されたシンボルに基づいて検出し得る。検出器１１３０は、制御情報の復調されたシンボルを供給し得るが、これはマルチプレクサ１１３２を介してルーティングされ、ＲＸ制御プロセッサ１１５２に提供されてもよい。
【００５９】
ＵＥ１２０によってデータのみが送信される場合、シンボル対副搬送波デマッピングユニット１１１６は、Ｑ個の受信されたシンボルをデータセグメントのＱ個の副搬送波から供給し、残りの受信されたシンボルを破棄し得る。これらのＱ個の受信されたシンボルは、ユニット１１１８によって正規化及び検出され、ＩＤＦＴユニット１１２０によって変換され、Ｐ／Ｓ１１２２を介してＲＸデータプロセッサ１１５０にルーティングされ得る。
【００６０】
図１２は、制御情報を送信する処理１２００の設計を示す。処理１２００はＵＥによって行われ得る。ダウンリンク送信用の副搬送波の割り当てが受信され得る（ブロック１２１２）。制御情報を送信するのに用いる第１の周波数位置が、割り当てに基づいて判定され得る（ブロック１２１４）。第１の周波数位置はまた、明示的に割り当てられても、他の方法で判定されてもよい。データが送信されていない場合、制御情報は第１の周波数位置で送信され得る（ブロック１２１６）。データが送信されている場合、制御情報及びデータは、第１の周波数位置とは異なる第２の周波数位置で送信され得る（ブロック１２１８）。制御情報はＡＣＫ情報、ＣＱＩ情報、及び／又は他の情報を含み得る。
【００６１】
第１の周波数位置は、制御情報を送信するためにＵＥに割り当てられた第１の組の副搬送波に対応し得る。第２の周波数位置は、データを送信するためにＵＥに割り当てられた第２の組の副搬送波に対応し得る。制御情報及び／又はデータは、制御情報及び／又はデータが送信される各シンボル期間の隣接する副搬送波で送信されてもよい。制御情報はまた、例えば図５Ａ及び図５Ｂに示されるように、周波数ホッピングを用いた異なる時間間隔の異なる周波数位置で送信されてもよい。
【００６２】
制御情報は、変調シンボルを取得するために処理され得る。データもまた、変調シンボルを取得するために処理され得る。制御情報の変調シンボルは、データの変調シンボルと多重化され得る。あるいは、データの変調シンボルの一部は、制御情報の変調シンボルでパンクチャされ（punctured）てもよい。データが送信されていない場合、ＳＣ−ＦＤＭシンボルは、第１の周波数位置にマッピングされた制御情報を用いて生成され得る。データが送信されている場合、ＳＣ−ＦＤＭシンボルは、第２の周波数位置にマッピングされた制御情報及びデータを用いて生成され得る。
【００６３】
図１３は、制御情報を送信する装置１３００の設計を示す。装置１３００は、ダウンリンク送信用の副搬送波の割り当てを受信する手段（モジュール１３１２）と、割り当てに基づいて制御情報を送信するのに用いる第１の周波数位置を判定する手段（モジュール１３１４）と、データが送信されていない場合、制御情報を第１の周波数位置で送信する手段（モジュール１３１６）と、データが送信されている場合、制御情報及びデータを第１の周波数位置とは異なる第２の周波数位置で送信する手段（モジュール１３１８）とを備える。
【００６４】
図１４は、制御情報を受信する処理１４００の設計を示す。処理１４００はノードＢによって行われ得る。ダウンリンク送信用の副搬送波の割り当ては、ＵＥに送信され得る（ブロック１４１２）。制御情報を送信するためにＵＥによって用いられる第１の周波数位置は、割り当てに基づいて判定され得る（ブロック１４１４）。データがＵＥによって送信されない場合、制御情報はＵＥから第１の周波数位置で受信され得る（ブロック１４１６）。データがＵＥによって送信される場合、制御情報及びデータは、第１の周波数位置とは異なる第２の周波数位置でＵＥから受信され得る（ブロック１４１８）。
【００６５】
受信されたＳＣ−ＦＤＭシンボルを処理して、受信されたシンボルを取得し得る。データがＵＥによって送信されない場合、制御情報の受信されたシンボルは、第１の周波数位置、例えば第１の組の隣接する副搬送波から取得され得る。これらの受信されたシンボルは、検出及び処理されて、ＵＥによって送信された制御情報が取得され得る。データがＵＥによって送信される場合、データ及び制御情報の受信されたシンボルは、第２の周波数位置、例えば第２の組の隣接する副搬送波から取得され得る。これらの受信されたシンボルは、例えば図１１に示されるように、周波数ドメインから時間ドメインに変換され、次いでデマルチプレクスされて、制御情報の復調されたシンボルとデータの復調されたシンボルが取得され得る。制御情報の復調されたシンボルは、ＵＥによって送信された制御情報を取得するために処理され得る。データの復調されたシンボルは、ＵＥによって送信されたデータを取得するために処理され得る。
【００６６】
図１５は、制御情報を受信する装置１５００の設計を示す。装置１５００は、ダウンリンク送信用の副搬送波の割り当てをＵＥに送信する手段（モジュール１５１２）と、制御情報を送信するためにＵＥによって用いられるべき第１の周波数位置を割り当てに基づいて判定する手段（モジュール１５１４）と、データがＵＥによって送信されない場合、第１の周波数位置でＵＥから制御情報を受信する手段（モジュール１５１６）と、データがＵＥによって送信される場合、第１の周波数位置とは異なる第２の周波数位置でＵＥから制御情報及びデータを受信する手段（モジュール１５１８）とを備える。
【００６７】
図１６は、制御情報を送信する処理１６００の設計を示す。処理１６００はＵＥによって行われ得る。データが送信されていない場合、制御情報は第１の処理スキームに従って処理され得る（ブロック１６１０）。データが送信されている場合、制御情報は第２の処理スキームに従って処理され得る（ブロック１６２０）。制御情報は、ＡＣＫ情報、ＣＱＩ情報などを含み        得る。
【００６８】
図１７は、ブロック１６１０の第１の処理スキームの設計を示す。制御情報が処理されて、変調シンボルが取得され得る（ブロック１７１２）。ＣＡＺＡＣ系列（例えば、Ｃｈｕ系列）は、変調シンボルの各々で変調されて、対応する変調されたＣＡＺＡＣ系列が取得され得る（ブロック１７１４）。変調されたＣＡＺＡＣ系列の各々は、第１の組の副搬送波にマッピングされ得る（ブロック１７１６）。第１の処理スキームは、他の方法で処理を行ってもよい。
【００６９】
図１８は、ブロック１６２０の第２の処理スキームの設計を示す。制御情報が処理されて、変調シンボルが取得され得る（ブロック１８１２）。制御情報の変調シンボルは、データの変調シンボルと結合され得る（ブロック１８１４）。結合は、制御情報の変調シンボルをデータの変調シンボルと多重化することによって、データの変調シンボルの一部を制御情報の変調シンボルでパンクチャすること等によって達成され得る。結合された変調シンボルは、時間ドメインから周波数ドメインに変換されて、周波数ドメインのシンボルが取得され得る（ブロック１８１６）。周波数ドメインのシンボルは第２の組の副搬送波にマッピングされ得る（ブロック１８１８）。第２の処理スキームは、他の方法で処理を行ってもよい。
【００７０】
第１の処理スキームの一つの設計において、ＡＣＫは変調シンボルにマッピングされてもよい。Ｃｈｕ系列は変調シンボルで変調されて、ＡＣＫの変調されたＣｈｕ系列が取得されてもよい。変調されたＣｈｕ系列は、一つのシンボル期間の第１の組の副搬送波にマッピングされ得る。第２の処理スキームの一つの設計において、ＡＣＫは変調シンボルにマッピングされてもよい。変調シンボルは、複数回反復されて、反復された変調シンボルが取得されてもよいし、直交系列で拡散されて、拡散された変調シンボルが取得されてもよい。ＡＣＫの反復された又は拡散された変調シンボルは、データの変調シンボルと結合され得る。結合された変調シンボルは、第２の組の副搬送波にマッピングされ得る。
【００７１】
制御情報の変調シンボルは、データが送信されていない場合は第１の変調スキームに基づいて、データが送信されている場合は第２の変調スキームに基づいて生成され得る。第１の変調スキームは、固定された変調スキーム、例えばＱＰＳＫであり得る。第２の変調スキームは、データに用いられる変調スキームであり得る。制御情報はまた、データが送信されていない場合は第１の符号化スキームに基づいて、データが送信されている場合は第２の符号化スキームに基づいて符号化され得る。
【００７２】
データがＵＥによって送信されていない場合、周波数ドメインのシンボルは制御情報について取得され、制御情報に用いられる第１の組の隣接する副搬送波にマッピングされ得る。データがＵＥによって送信されている場合、周波数ドメインのシンボルは制御情報及びデータについて取得され、データに用いられる第２の組の隣接する副搬送波にマッピングされ得る。ＳＣ−ＦＤＭシンボルはマッピングされたシンボルに基づいて生成され得る。
【００７３】
図１９は、制御情報を送信する装置１９００の設計を示す。装置１９００は、データが送信されていない場合に、制御情報を第１の処理スキームに従って処理する手段（モジュール１９１０）と、データが送信されている場合に、制御情報を第２の処理スキームに従って処理する手段（モジュール１９２０）とを備える。
【００７４】
図２０は、図１９のモジュール１９１０の設計を示す。モジュール１９１０は、制御情報を処理して、変調シンボルを取得する手段（モジュール２０１２）と、ＣＡＺＡＣ系列を変調シンボルの各々で変調して、対応する変調されたＣＡＺＡＣ系列を取得する手段（モジュール２０１４）と、変調されたＣＡＺＡＣ系列の各々を第１の組の副搬送波にマッピングする手段（モジュール２０１６）とを備える。
【００７５】
図２１は、図１９のモジュール１９２０の設計を示す。モジュール１９２０は、制御情報を処理して変調シンボルを取得する手段（モジュール２１１２）と、制御情報の変調シンボルをデータの変調シンボルと結合する手段（モジュール２１１４）と、結合された変調シンボルを時間ドメインから周波数ドメインに変換して、周波数ドメインのシンボルを取得する手段（モジュール２１１６）と、周波数ドメインのシンボルを第２の組の副搬送波にマッピングする手段（モジュール２１１８）とを備える。
【００７６】
図２２は、制御情報を受信する処理２２００の設計を示す。処理２２００はノードＢによって行われ得る。受信されたＳＣ−ＦＤＭシンボルが処理されて、総計Ｎ個の副搬送波についての受信されたシンボルが取得され得る。ＵＥの受信されたシンボルは、データがＵＥによって送信されない場合は第１の組の副搬送波から、データがＵＥによって送信される場合は第２の組の副搬送波から取得されてもよい（ブロック２２１２）。ＵＥの受信されたシンボルは、データがＵＥによって送信されない場合は第１の処理スキームに従って処理されて、ＵＥの制御情報が取得され得る（ブロック２２１４）。ＵＥの受信されたシンボルは、データがＵＥによって送信される場合は第２の処理スキームに従って処理されて、ＵＥの制御情報が処理され得る（ブロック２２１６）。
【００７７】
第１の処理スキームの一つの設計において、検出は受信されたたシンボルに対してＣＡＺＡＣ系列に基づいて行われ、復調されたシンボルが取得されてもよい。復調されたシンボルが処理されて、ＵＥによって送信された制御情報が取得され得る。第２の処理スキームの一つの設計において、データ検出は受信されたシンボルに対して行われて、検出されたシンボルが取得され得る。検出されたシンボルは、周波数ドメインから時間ドメインに変換されて、復調されたシンボルが取得され得る。復調されたシンボルは更に処理されて、ＵＥによって送信された制御情報が取得され得る。一般に、第１及び第２の処理スキームは、ＵＥによって行われる処理に対して補完的な方法で行われ得る。
【００７８】
図２３は、制御情報を受信する装置２３００の設計を示す。装置２３００は、ＵＥの受信されたシンボルを、データがＵＥによって送信されない場合は第１の組の副搬送波から、データがＵＥによって送信される場合は第２の組の副搬送波から取得する手段（モジュール２３１２）と、データがＵＥによって送信されない場合、ＵＥの受信されたシンボルを第１の処理スキームに従って処理してＵＥの制御情報を取得する手段（モジュール２３１４）と、データがＵＥによって送信される場合、ＵＥの受信されたシンボルを第２の処理スキームに従って処理して、ＵＥの制御情報を取得する手段（モジュール２３１６）とを備える。
【００７９】
図２４は、制御情報を送信する処理２４００の設計を示す。処理２４００はＵＥによって行われ得る。制御情報を送信するために用いられる周波数位置は、ダウンリンク送信の割り当てに基づいて判定され得る（ブロック２４１２）。制御情報（例えば、ＡＣＫ情報、ＣＱＩ情報等）は、ＣＡＺＡＣ系列（例えば、Ｃｈｕ系列）に基づいて処理されて、変調されたシンボルが取得され得る（ブロック２４１４）。変調されたシンボルは、割り当てに基づいて判定された周波数位置で送信され得る（ブロック２４１６）。
【００８０】
例えば、ＡＣＫは変調シンボルにマッピングされてもよい。ＣＡＺＡＣ系列は変調シンボルで変調されて、変調されたＣＡＺＡＣ系列の変調シンボルが取得されてもよい。変調されたシンボルは、割り当てに基づいて判定された周波数位置で一組の隣接する副搬送波で送信され得る。制御情報は、周波数ホッピングを用いて異なる時間間隔で異なる周波数位置で送信され得る。
【００８１】
図２５は、制御情報を送信する装置２５００の設計を示す。装置２５００は、ダウンリンク送信の割り当てに基づいて制御情報を送信するのに用いるべき周波数位置を判定する手段（モジュール２５１２）と、ＣＡＺＡＣ系列に基づいて制御情報を処理して、変調されたシンボルを取得する手段（モジュール２５１４）と、割り当てに基づいて判定された周波数位置で変調されたシンボルを送信する手段（モジュール２５１６）とを備える。
【００８２】
明確にするために、ＳＣ−ＦＤＭを用いたアップリンクでの制御情報及びデータの送信について記載した。該技法はまた、ダウンリンクでの制御情報及びデータの送信にも用い得る。制御情報及びデータはまた、ＯＦＤＭ又は何らかの他の変調技法を用いて複数の副搬送波で送信されてもよい。
【００８３】
図１３、図１５、図１９、図２０、図２１、図２３及び図２５のモジュールは、プロセッサ、電子デバイス、ハードウェアデバイス、電子部品、論理回路、メモリ等、又はこれらの任意の組み合わせを備え得る。
【００８４】
本明細書に開示される技法は種々の手段によって実現され得る。例えば、これらの技法はハードウェア、ファームウェア、ソフトウェア、又はこれらの組み合わせで実現されてもよい。ハードウェアでの実現の場合、エンティティ（例えば、ＵＥ又はノードＢ）で技法を実行するのに用いられる処理ユニットは、１つ又は複数の特定用途向け集積回路（ＡＳＩＣ）、デジタル信号プロセッサ（ＤＳＰ）、デジタル信号処理装置（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書に記載される機能を実行するように設計された他の電子ユニット、コンピュータ、又はこれらの組み合わせであってよい。
【００８５】
ファームウェア及び／又はソフトウェアでの実現の場合、該技法は、本明細書に記載される機能を実行するモジュール（例えば、プロシージャ、関数等）で実現され得る。ファームウェア及び／又はソフトウェアの命令は、メモリ（例えば、図６のメモリ６４２又は６８２）に格納され、プロセッサ（例えば、プロセッサ６４０又は６８０）によって実行され得る。メモリはプロセッサの内部、又はプロセッサの外部に実装されてもよい。ファームウェア及び／又はソフトウェアの命令はまた、ランダムアクセスメモリ（ＲＡＭ）、読み出し専用メモリ（ＲＯＭ）、不揮発性ＲＡＭ（ＮＶＲＡＭ）、プログラマブルＲＯＭ（ＰＲＯＭ）、電気的消去可能なＰＲＯＭ（ＥＥＰＲＯＭ）、フラッシュメモリ、コンパクトディスク（ＣＤ）、磁気若しくは光学データ記憶装置等、他のプロセッサ読み取り可能な媒体に格納されてもよい。
【００８６】
先立つ開示の記載は、当業者に該開示の構成又は使用を可能にすべく提供されている。該開示に対する種々の変形は当業者には容易に明白となり、本明細書に定義される一般的な原理は、開示の精神又は範囲から逸脱することなく他のバリエーションに適用し得る。従って、開示は本明細書に記載された例及び設計に限定されることを意図されたものではないが、本明細書に開示された原理及び新規な特徴と一致する最も広い範囲に合致すべきものである。
なお、以下に、出願当初の特許請求の範囲に記載された発明を付記する。
［Ｃ１］
データが送信されていない場合、制御情報を第１の周波数位置で送信し、データが送信されている場合、制御情報及びデータを前記第１の周波数位置とは異なる第２の周波数位置で送信するように構成された、少なくとも一つのプロセッサと、
前記少なくとも一つのプロセッサに結合されるメモリと
を備える、装置。
［Ｃ２］
前記少なくとも一つのプロセッサは、ダウンリンク送信の副搬送波の割り当てを受信し、前記割り当てに基づいて前記第１の周波数位置を判定するように構成される、Ｃ１記載の装置。
［Ｃ３］
前記第１の周波数位置は、制御情報を送信するために割り当てられた第１の組の副搬送波に対応し、前記第２の周波数位置は、データを送信するために割り当てられた第２の組の副搬送波に対応する、Ｃ１記載の装置。
［Ｃ４］
前記少なくとも一つのプロセッサは、制御情報、又はデータ、又は制御情報とデータとの双方を、制御情報又はデータ又はその双方が送信される各シンボル期間に、隣接する副搬送波で送信するように構成される、Ｃ１記載の装置。
［Ｃ５］
データが送信されていない場合、前記少なくとも一つのプロセッサは、制御情報のシンボルを生成し、前記制御情報のシンボルを前記第１の周波数位置に対応する第１の組の副搬送波にマッピングするように構成される、Ｃ１記載の装置。
［Ｃ６］
データが送信されている場合、前記少なくとも一つのプロセッサは、制御情報及びデータのシンボルを生成し、前記制御情報及びデータのシンボルを前記第２の周波数位置に対応する第２の組の副搬送波にマッピングするように構成される、Ｃ５記載の装置。
［Ｃ７］
前記少なくとも一つのプロセッサは、データが送信されていない場合、前記第１の周波数位置にマッピングされた制御情報を有するシングルキャリア周波数分割多重化（ＳＣ−ＦＤＭ）シンボルを生成し、データが送信されている場合、前記第２の周波数位置にマッピングされた制御情報及びデータを有するＳＣ−ＦＤＭシンボルを生成するように構成される、Ｃ１記載の装置。
［Ｃ８］
前記少なくとも一つのプロセッサは、周波数ホッピングを用いて異なる時間間隔に異なる周波数位置で制御情報を送信するように構成される、Ｃ１記載の装置。
［Ｃ９］
前記制御情報は、肯定応答（ＡＣＫ）情報及びチャネル品質表示（ＣＱＩ）情報のうちの少なくとも一つを含む、Ｃ１記載の装置。
［Ｃ１０］
データが送信されていない場合、制御情報を第１の周波数位置で送信し、
データが送信されている場合、制御情報及びデータを前記第１の周波数位置とは異なる第２の周波数位置で送信する
ことを含む、方法。
［Ｃ１１］
ダウンリンク送信の副搬送波の割り当てを受信し、
前記割り当てに基づいて前記第１の周波数位置を判定する
ことを更に含む、Ｃ１０記載の方法。
［Ｃ１２］
前記制御情報を前記第１の周波数位置で送信することは、
制御情報のシンボルを生成し、
前記制御情報のシンボルを前記第１の周波数位置に対応する第１の組の副搬送波にマッピングする
ことを含む、Ｃ１０記載の方法。
［Ｃ１３］
前記制御情報及びデータを前記第２の周波数位置で送信することは、
制御情報及びデータのシンボルを生成し、
前記制御情報及びデータのシンボルを前記第２の周波数位置に対応する第２の組の副搬送波にマッピングする
ことを含む、Ｃ１２記載の方法。
［Ｃ１４］
データが送信されていない場合、制御情報を第１の周波数位置で送信する手段と、
データが送信されている場合、制御情報及びデータを前記第１の周波数位置とは異なる第２の周波数位置で送信する手段と
を備える、装置。
［Ｃ１５］
ダウンリンク送信の副搬送波の割り当てを受信する手段と、
前記割り当てに基づいて前記第１の周波数位置を判定する手段と
を更に備える、Ｃ１４記載の装置。
［Ｃ１６］
前記制御情報を前記第１の周波数位置で送信する手段は、
制御情報のシンボルを生成する手段と、
前記制御情報のシンボルを前記第１の周波数位置に対応する第１の組の副搬送波にマッピングする手段と
を備える、Ｃ１４記載の装置。
［Ｃ１７］
前記制御情報及びデータを前記第２の周波数位置で送信する手段は、
制御情報及びデータのシンボルを生成する手段と、
前記制御情報及びデータのシンボルを前記第２の周波数位置に対応する第２の組の副搬送波にマッピングする手段と
を備える、Ｃ１６記載の装置。
［Ｃ１８］
格納された命令を備えるプロセッサ読み取り可能な媒体であって、
データが送信されていない場合、制御情報を第１の周波数位置で送信する第１の命令の組と、
データが送信されている場合、制御情報及びデータを前記第１の周波数位置とは異なる第２の周波数位置で送信する第２の命令の組と
を備える、プロセッサ読み取り可能な媒体。
［Ｃ１９］
ダウンリンク送信の副搬送波の割り当てを受信する第３の命令の組と、
前記割り当てに基づいて前記第１の周波数位置を判定する第４の命令の組と
を更に備える、Ｃ１８記載のプロセッサ読み取り可能な媒体。
［Ｃ２０］
前記第１の命令の組は、
制御情報のシンボルを生成する第３の命令の組と、
前記制御情報のシンボルを前記第１の周波数位置に対応する第１の組の副搬送波にマッピングする第４の命令の組と
を備える、Ｃ１８記載のプロセッサ読み取り可能な媒体。
［Ｃ２１］
前記第２の命令の組は、
制御情報及びデータのシンボルを生成する第５の命令の組と、
前記制御情報及びデータのシンボルを前記第２の周波数位置に対応する第２の組の副搬送波にマッピングする第６の命令の組と
を備える、Ｃ２０記載のプロセッサ読み取り可能な媒体。
［Ｃ２２］
ユーザ機器（ＵＥ）からの制御情報を、データが前記ＵＥによって送信されない場合、第１の周波数位置で受信し、データが前記ＵＥによって送信される場合、制御情報及びデータを前記ＵＥから前記第１の周波数位置とは異なる第２の周波数位置で受信するように構成される、少なくとも一つのプロセッサと、
前記少なくとも一つのプロセッサに結合されるメモリと
を備える、装置。
［Ｃ２３］
前記少なくとも一つのプロセッサは、ダウンリンク送信の副搬送波の割り当てを前記ＵＥに送信し、前記割り当てに基づいて前記第１の周波数位置を判定するように構成される、Ｃ２２記載の装置。
［Ｃ２４］
データが前記ＵＥによって送信されない場合、前記少なくとも一つのプロセッサは、前記第１の周波数位置に対応する第１の組の副搬送波から、受信されたシンボルを取得し、前記受信されたシンボルに基づいて、復調されたシンボルを取得するように構成される、Ｃ２２記載の装置。
［Ｃ２５］
データが前記ＵＥによって送信される場合、前記少なくとも一つのプロセッサは、前記第２の周波数位置に対応する第２の組の副搬送波から、受信されたシンボルを取得し、前記受信されたシンボルに基づいて、復調されたシンボルを取得し、前記復調されたシンボルをデマルチプレクスして、制御情報の復調されたシンボル及びデータの復調されたシンボルを取得するように構成される、Ｃ２４記載の装置。
［Ｃ２６］
前記少なくとも一つのプロセッサは、データが前記ＵＥによって送信されない場合、受信されたシングルキャリア周波数分割多重化(ＳＣ−ＦＤＭ)シンボルを処理して、制御情報の受信されたシンボルを前記第１の周波数位置から取得し、データが前記ＵＥによって送信される場合、前記受信されたＳＣ−ＦＤＭシンボルを処理して、制御情報及びデータの受信されたシンボルを前記第２の周波数位置から取得するように構成される、Ｃ２２記載の装置。
［Ｃ２７］
制御情報を、ユーザ機器（ＵＥ）から、データが前記ＵＥによって送信されない場合、第１の周波数位置で受信し、
データが前記ＵＥによって送信される場合、制御情報及びデータを、前記ユーザ機器から、前記第１の周波数位置とは異なる第２の周波数位置で受信する
ことを含む、方法。
［Ｃ２８］
ダウンリンク送信の副搬送波の割り当てを前記ＵＥに送信し、
前記割り当てに基づいて前記第１の周波数位置を判定する
ことを更に含む、Ｃ２７記載の方法。
［Ｃ２９］
前記制御情報を前記ＵＥから前記第１の周波数位置で受信することは、
受信されたシンボルを、前記第１の周波数位置に対応する第１の組の副搬送波から取得し、
復調されたシンボルを前記受信されたシンボルに基づいて取得する
ことを含む、Ｃ２７記載の方法。
［Ｃ３０］
前記制御情報及びデータを前記ＵＥから前記第２の周波数位置で受信することは、
受信されたシンボルを、前記第２の周波数位置に対応する第２の組の副搬送波から取得し、
復調されたシンボルを前記受信されたシンボルに基づいて取得し、
前記復調されたシンボルをデマルチプレクスして、制御情報の復調されたシンボル及びデータの復調されたシンボルを取得する
ことを含む、Ｃ２９記載の方法。
［Ｃ３１］
データが送信されていない場合、制御情報を第１の処理スキームに従って処理し、データが送信されている場合、第２の処理スキームに応じて制御情報を処理するように構成された、少なくとも一つのプロセッサと、
前記少なくとも一つのプロセッサと結合されるメモリと
を備える、装置。
［Ｃ３２］
前記第１の処理スキームの場合、前記少なくとも一つのプロセッサは、制御情報を処理して変調シンボルを取得し、ＣＡＺＡＣ（定振幅ゼロ自己相関）系列を前記変調シンボルの各々で変調して、対応する変調されたＣＡＺＡＣ系列を取得し、各変調されたＣＡＺＡＣ系列を一組の副搬送波にマッピングするように構成される、Ｃ３１記載の装置。
［Ｃ３３］
前記ＣＡＺＡＣ系列は、長さＭのＺａｄｏｆｆ−Ｃｈｕ系列又はＣｈｕ系列であり、ここでＭは前記一組の副搬送波における副搬送波の数である、Ｃ３２記載の装置。
［Ｃ３４］
前記ＣＡＺＡＣ系列は小さな非ゼロ自己相関と振幅における小さな変化を有する、Ｃ３２記載の装置。
［Ｃ３５］
前記第２の処理スキームの場合、前記少なくとも一つのプロセッサは、制御情報を処理して変調シンボルを取得し、前記制御情報の変調シンボルをデータの変調シンボルと結合し、前記結合された変調シンボルを一組の副搬送波にマッピングするように構成される、Ｃ３１記載の装置。
［Ｃ３６］
前記少なくとも一つのプロセッサは、前記制御情報の変調シンボルを前記データの変調シンボルと多重化して、前記変調シンボルを結合するように構成される、Ｃ３５記載の装置。
［Ｃ３７］
前記少なくとも一つのプロセッサは、前記データの変調シンボルのうちの選択されたものを前記制御情報の変調シンボルでパンクチャして、前記変調シンボルを結合するように構成される、Ｃ３５記載の装置。
［Ｃ３８］
前記第２の処理スキームの場合、前記少なくとも一つのプロセッサは、前記結合された変調シンボルを時間ドメインから周波数ドメインに変換して、周波数ドメインのシンボルを取得し、前記周波数ドメインのシンボルを前記一組の副搬送波にマッピングするように構成される、Ｃ３５記載の装置。
［Ｃ３９］
前記少なくとも一つのプロセッサは、データが送信されていない場合は制御情報についての、データが送信されている場合は制御情報及びデータについての周波数ドメインのシンボルを取得し、前記周波数ドメインのシンボルに基づいてシングルキャリア周波数分割多重化（ＳＣ−ＦＤＭ）シンボルを生成するように構成される、Ｃ３１記載の装置。
［Ｃ４０］
前記制御情報は肯定応答（ＡＣＫ）を含む、Ｃ３１記載の装置。
［Ｃ４１］
前記第１の処理スキームの場合、前記少なくとも一つのプロセッサは、前記ＡＣＫを変調シンボルにマッピングし、Ｃｈｕ系列又はＺａｄｏｆｆ−Ｃｈｕ系列を前記変調シンボルで変調して変調されたＣｈｕ系列を取得し、前記変調されたＣｈｕ系列を一組の副搬送波にマッピングするように構成される、Ｃ４０記載の装置。
［Ｃ４２］
前記第２の処理スキームの場合、前記少なくとも一つのプロセッサは、前記ＡＣＫを変調シンボルにマッピングし、前記変調シンボルを複数回反復して反復された変調シンボルを取得し、前記反復された変調シンボルをデータの変調シンボルと結合するように構成される、Ｃ４０記載の装置。
［Ｃ４３］
前記第２の処理スキームの場合、前記少なくとも一つのプロセッサは、前記ＡＣＫを変調シンボルにマッピングし、前記変調シンボルを直交系列で拡散して拡散された変調シンボルを取得し、前記拡散された変調シンボルをデータの変調シンボルと結合するように構成される、Ｃ４０記載の装置。
［Ｃ４４］
前記少なくとも一つのプロセッサは、データが送信されていない場合、第１の変調スキームに基づいて制御情報の変調シンボルを生成し、データが送信されている場合、第２の変調スキームに基づいて前記制御情報の変調シンボルを生成するように構成される、Ｃ３１記載の装置。
［Ｃ４５］
前記第１の変調スキームは固定された変調スキームであり、前記第２の変調スキームはデータに用いられる、Ｃ４４記載の装置。
［Ｃ４６］
前記少なくとも一つのプロセッサは、データが送信されていない場合、制御情報を第１の符号化スキームに基づいて符号化し、データが送信されている場合、制御情報を第２の符号化スキームに基づいて符号化するように構成される、Ｃ３１記載の装置。
［Ｃ４７］
データが送信されていない場合、制御情報を第１の処理スキームに従って処理し、
データが送信されている場合、制御情報を第２の処理スキームに従って処理する
ことを含む、方法。
［Ｃ４８］
前記制御情報を前記第１の処理スキームに従って処理することは、
制御情報を処理して変調シンボルを取得し、
ＣＡＺＡＣ（定振幅ゼロ自己相関）系列を前記変調シンボルの各々で変調して、対応する変調されたＣＡＺＡＣ系列を取得し、
各変調されたＣＡＺＡＣ系列を一組の副搬送波にマッピングする
ことを含む、Ｃ４７記載の方法。
［Ｃ４９］
前記制御情報を前記第２の処理スキームに従って処理することは、
制御情報を処理して変調シンボルを取得し、
前記制御情報の変調シンボルをデータの変調シンボルと結合し、
前記結合された変調シンボルを時間ドメインから周波数ドメインに変換して、周波数ドメインのシンボルを取得し、
前記周波数ドメインのシンボルを一組の副搬送波にマッピングする
ことを含む、Ｃ４７記載の方法。
［Ｃ５０］
前記制御情報は肯定応答（ＡＣＫ）を含み、前記制御情報を前記第１の処理スキームに従って処理することは、
前記ＡＣＫを変調シンボルにマッピングし、
Ｃｈｕ系列又はＺａｄｏｆｆ−Ｃｈｕ系列を前記変調シンボルで変調して、変調されたＣｈｕ系列を取得し、
前記変調されたＣｈｕ系列を一組の副搬送波にマッピングする
ことを含む、Ｃ４７記載の方法。
［Ｃ５１］
前記制御情報は肯定応答（ＡＣＫ）を含み、前記制御情報を前記第２の処理スキームに従って処理することは、
前記ＡＣＫを変調シンボルにマッピングし、
前記ＡＣＫの前記変調シンボルをデータの変調シンボルと結合し、
前記結合された変調シンボルを時間ドメインから周波数ドメインに変換して、周波数ドメインのシンボルを取得し、
前記周波数ドメインのシンボルを一組の副搬送波にマッピングする
ことを含む、Ｃ４７記載の方法。
［Ｃ５２］
前記制御情報を前記第１の処理スキームに従って処理することは、制御情報の変調シンボルを所定の変調スキームに基づいて生成することを含み、前記制御情報を前記第２の処理スキームに従って処理することは、前記制御情報の変調シンボルをデータに用いられる変調スキームに基づいて生成することを含む、Ｃ４７記載の方法。
［Ｃ５３］
データが送信されていない場合、制御情報を第１の処理スキームに従って処理する手段と、
データが送信されている場合、制御情報を第２の処理スキームに従って処理する手段と
を備える、装置。
［Ｃ５４］
前記制御情報を前記第１の処理スキームに従って処理する手段は、
制御情報を処理して変調シンボルを取得する手段と、
ＣＡＺＡＣ（定振幅ゼロ自己相関）系列を前記変調シンボルの各々で変調して、対応する変調されたＣＡＺＡＣ系列を取得する手段と、
各変調されたＣＡＺＡＣ系列を一組の副搬送波にマッピングする手段と
を備える、Ｃ５３記載の装置。
［Ｃ５５］
前記制御情報を前記第２の処理スキームに従って処理する手段は、
制御情報を処理して変調シンボルを取得する手段と、
前記制御情報の変調シンボルをデータの変調シンボルと結合する手段と、
前記結合された変調シンボルを時間ドメインから周波数ドメインに変換して、周波数ドメインのシンボルを取得する手段と、
前記周波数ドメインのシンボルを一組の副搬送波にマッピングする手段と
を備える、Ｃ５３記載の装置。
［Ｃ５６］
前記制御情報を前記第１の処理スキームに従って処理する手段は、所定の変調スキームに基づいて制御情報の変調シンボルを生成する手段を備え、前記制御情報を前記第２の処理スキームに従って処理する手段は、データに用いられる変調スキームに基づいて前記制御情報の変調シンボルを生成する手段を備える、Ｃ５３記載の装置。
［Ｃ５７］
格納された命令を備えるプロセッサ読み取り可能な媒体であって、
データが送信されていない場合、第１の処理スキームに従って制御情報を処理する第１の命令の組と、
データが送信されている場合、第２の処理スキームに従って制御情報を処理する第２の命令の組と
を備える、プロセッサ読み取り可能な媒体。
［Ｃ５８］
前記第１の命令の組は、
制御情報を処理して変調シンボルを取得する第３の命令の組と、
ＣＡＺＡＣ（定振幅ゼロ自己相関）系列を前記変調シンボルの各々で変調して、対応する変調されたＣＡＺＡＣ系列を取得する第４の命令の組と、
各変調されたＣＡＺＡＣ系列を一組の副搬送波にマッピングする第５の命令の組と
を備える、Ｃ５７記載のプロセッサ読み取り可能な媒体。
［Ｃ５９］
前記第２の命令の組は、
制御情報を処理して変調シンボルを取得する第３の命令の組と、
前記制御情報の変調シンボルをデータの変調シンボルと結合する第４の命令の組と、
前記結合された変調シンボルを時間ドメインから周波数ドメインに変換して、周波数ドメインのシンボルを取得する第５の命令の組と、
前記周波数ドメインのシンボルを一組の副搬送波にマッピングする第６の命令の組と
を備える、Ｃ５７記載のプロセッサ読み取り可能な媒体。
［Ｃ６０］
前記第１の命令の組は、所定の変調スキームに基づいて制御情報の変調シンボルを生成する第３の命令の組を備え、前記第２の命令の組は、データに用いられる変調スキームに基づいて前記制御情報の変調シンボルを生成する第４の命令の組を備える、Ｃ５７記載のプロセッサ読み取り可能な媒体。
［Ｃ６１］
ユーザ機器（ＵＥ）の受信されたシンボルを取得し、データが前記ＵＥによって送信されない場合、前記受信されたシンボルを第１の処理スキームに従って処理して、前記ＵＥの制御情報を取得し、データが前記ＵＥによって送信される場合、前記受信されたシンボルを第２の処理スキームに従って処理して、前記ＵＥの制御情報を取得するように構成された、少なくとも一つのプロセッサと、
前記少なくとも一つのプロセッサと結合されるメモリと、
を備える、装置。
［Ｃ６２］
前記第１の処理スキームの場合、前記少なくとも一つのプロセッサは、前記受信されたシンボルにＣＡＺＡＣ（定振幅ゼロ自己相関）系列に基づいて検出を行って、復調されたシンボルを取得し、前記復調されたシンボルを処理して、前記ＵＥによって送信される制御情報を取得するように構成される、Ｃ６１記載の装置。
［Ｃ６３］
前記第２の処理スキームの場合、前記少なくとも一つのプロセッサは、前記受信されたシンボルに検出を行って、検出されたシンボルを取得し、前記検出されたシンボルを周波数ドメインから時間ドメインに変換して、復調されたシンボルを取得し、前記復調されたシンボルを処理して、前記ＵＥによって送信される制御情報を取得するように構成される、Ｃ６１記載の装置。
［Ｃ６４］
前記少なくとも一つのプロセッサは、受信されたシングルキャリア周波数分割多重化（ＳＣ−ＦＤＭ）シンボルを処理して、総計Ｎ個の副搬送波の受信されたシンボルを取得し、ここでＮは１よりも大きく、前記ＵＥに割り当てられた副搬送波からの受信されたシンボルを前記ＵＥの前記受信されたシンボルとして供給するように構成される、Ｃ６１記載の装置。
［Ｃ６５］
ユーザ機器（ＵＥ）の受信されたシンボルを取得し、
データが前記ＵＥによって送信されない場合、前記受信されたシンボルを第１の処理スキームに応じて処理して、前記ＵＥの制御情報を取得し、
データが前記ＵＥによって送信される場合、前記受信されたシンボルを第２の処理スキームに従って処理して、前記ＵＥの制御情報を取得する、
ことを含む、方法。
［Ｃ６６］
前記受信されたシンボルを前記第１の処理スキームに応じて処理することは、
ＣＡＺＡＣ（定振幅ゼロ自己相関）系列に基づいて前記受信されたシンボルに検出を行って、復調されたシンボルを取得し、
前記復調されたシンボルを処理して、前記ＵＥによって送信される制御情報を取得する
ことを含む、Ｃ６５記載の方法。
［Ｃ６７］
前記受信されたシンボルを前記第２の処理スキームに応じて処理することは、
前記受信されたシンボルに検出を行って、検出されたシンボルを取得し、
前記検出されたシンボルを周波数ドメインから時間ドメインに変換して、復調されたシンボルを取得し、
前記復調されたシンボルを処理して、前記ＵＥによって送信される制御情報を取得する、
ことを含む、Ｃ６５記載の方法。
［Ｃ６８］
制御情報に用いるべき周波数位置をダウンリンク送信の割り当てに基づいて判定し、制御情報をＣＡＺＡＣ（定振幅ゼロ自己相関）系列に基づいて処理して、変調されたシンボルを取得し、前記変調されたシンボルを前記割り当てに基づいて判定された前記周波数位置で送信するように構成される、少なくとも一つのプロセッサと、
前記少なくとも一つのプロセッサに結合されるメモリと
を備える、装置。
［Ｃ６９］
前記少なくとも一つのプロセッサは、制御情報の変調シンボルを生成し、前記ＣＡＺＡＣ系列を前記変調シンボルの各々で変調して、変調されたシンボルの対応する変調されたＣＡＺＡＣ系列を取得し、各変調されたＣＡＺＡＣ系列を前記周波数位置で送信するように構成される、Ｃ６８記載の装置。
［Ｃ７０］
前記ＣＡＺＡＣ系列はＣｈｕ系列又はＺａｄｏｆｆ−Ｃｈｕ系列である、Ｃ６９記載の装置。
［Ｃ７１］
前記少なくとも一つのプロセッサは、前記変調されたシンボルを、周波数ホッピングを用いる異なる時間間隔で異なる周波数位置で送信するように構成される、Ｃ６８記載の装置。
［Ｃ７２］
ダウンリンク送信の割り当てに基づいて制御情報に使用すべき周波数位置を判定し、
制御情報をＣＡＺＡＣ（定振幅ゼロ自己相関）系列に基づいて処理して、変調されたシンボルを取得し、
前記変調されたシンボルを前記割り当てに基づいて判定される前記周波数位置で送信する
ことを含む、方法。
［Ｃ７３］
前記制御情報を前記ＣＡＺＡＣ系列に基づいて処理することは、
制御情報の変調シンボルを生成し、
前記ＣＡＺＡＣ系列を前記変調シンボルの各々で変調して、変調されたシンボルの対応する変調されたＣＡＺＡＣ系列を取得し、
各変調されたＣＡＺＡＣ系列を前記周波数位置にマッピングする
ことを含む、Ｃ７２記載の方法。
【図１】
0005456852.tif 000004
【図２】
0005456852.tif 000005
【図３】
0005456852.tif 000006
【図４Ａ】
0005456852.tif 000007
【図４Ｂ】
0005456852.tif 000008
【図５Ａ】
0005456852.tif 000009
【図５Ｂ】
0005456852.tif 000010
【図６】
0005456852.tif 000011
【図７】
0005456852.tif 000012
【図８】
0005456852.tif 000013
【図９】
0005456852.tif 000014
【図１０】
0005456852.tif 000015
【図１１】
0005456852.tif 000016
【図１２】
0005456852.tif 000017
【図１３】
0005456852.tif 000018
【図１４】
0005456852.tif 000019
【図１５】
0005456852.tif 000020
【図１６】
0005456852.tif 000021
【図１７】
0005456852.tif 000022
【図１８】
0005456852.tif 000023
【図１９】
0005456852.tif 000024
【図２０】
0005456852.tif 000025
【図２１】
0005456852.tif 000026
【図２２】
0005456852.tif 000027
【図２３】
0005456852.tif 000028
【図２４】
0005456852.tif 000029
【図２５】
0005456852.tif 000030